(57)【特許請求の範囲】
【請求項１】
再生すべきオーディオ情報の再生態様を制御する再生制御情報であってバスを介した伝送時に形成される一の情報単位の中に挿入することが可能な情報量よりも大きな情報量を有する再生制御情報と、前記オーディオ情報と、が夫々記録されている情報記録媒体から当該オーディオ情報及び再生制御情報を検出する検出手段と、
前記検出されたオーディオ情報と前記検出された再生制御情報との対応関係を示す対応情報を生成する生成手段と、
前記検出されたオーディオ情報、前記検出された再生制御情報の一部又は前記生成された対応情報のうち少なくともいずれか一つを含む前記情報単位を複数個含んで構成される伝送情報を形成し前記バス上に出力する出力手段と、
を備えることを特徴とするオーディオ情報再生装置。
【請求項２】
再生すべきオーディオ情報の再生態様を制御する再生制御情報であってバスを介した伝送時に形成される一の情報単位の中に挿入することが可能な情報量よりも大きな情報量を有する再生制御情報、前記オーディオ情報と当該再生制御情報との対応関係を示す対応情報又は前記オーディオ情報のうち少なくともいずれか一つを含む前記情報単位を複数個含んで構成される伝送情報を、当該伝送情報が伝送される前記バスから取得し、当該取得したオーディオ情報を再生するオーディオ情報再生装置であって、
前記取得した伝送情報から前記情報単位を抽出する抽出手段と、
複数の前記抽出された情報単位から前記オーディオ情報、前記再生制御情報及び前記対応情報を取得する取得手段と、
前記取得された対応情報により示される前記再生制御情報を用いて前記取得されたオーディオ情報の再生態様を制御し、当該オーディオ情報を再生する再生手段と、
を備えることを特徴とするオーディオ情報再生装置。
【請求項３】
請求項１又は２に記載のオーディオ情報再生装置において、
前記再生制御情報を含む前記情報単位は、前記再生態様に基づいて予め設定された時間間隔毎に前記バス上に出力されていることを特徴とするオーディオ情報再生装置。
【請求項４】
請求項１又は２に記載のオーディオ情報再生装置において、
前記再生制御情報は、前記バス上において他の前記情報単位と同期して伝送される同期情報単位内に格納されて当該バス上に出力されていることを特徴とするオーディオ情報再生装置。
【請求項５】
請求項１又は２に記載のオーディオ情報再生装置において、
前記再生制御情報は、前記バス上において他の前記情報単位とは非同期で伝送される非同期情報単位内に格納されて当該バス上に出力されていることを特徴とするオーディオ情報再生装置。
【請求項６】
請求項１から５のいずれか一項に記載のオーディオ情報再生装置において、
前記再生制御情報は、２以上の第１チャンネル数により前記情報記録媒体に記録されている前記オーディオ情報を、当該第１チャンネル数より少ない第２チャンネル数のオーディオ情報として再生するためのチャンネル数低減制御情報であることを特徴とするオーディオ情報再生装置。
【請求項７】
請求項１から６のいずれか一項に記載のオーディオ情報再生装置において、
前記バスはＩＥＥＥ（Institute  of  Electrical  and  Electronic  Engineers）１３９４規格に基づいて前記伝送情報が伝送されるシリアルバスであると共に、
前記情報単位は前記ＩＥＥＥ１３９４規格におけるアイソクロナスサイクルの一部を構成するものであることを特徴とするオーディオ情報再生装置。
【請求項８】
再生すべきオーディオ情報の再生態様を制御する再生制御情報であってバスを介した伝送時に形成される一の情報単位の中に挿入することが可能な情報量よりも大きな情報量を有する再生制御情報と、前記オーディオ情報と、が夫々記録されている情報記録媒体から当該オーディオ情報及び再生制御情報を検出する検出手段と、
前記検出されたオーディオ情報と前記検出された再生制御情報との対応関係を示す対応情報を生成する生成手段と、
前記検出されたオーディオ情報、前記検出された再生制御手段の一部又は前記生成された対応情報のうち少なくともいずれか一つを含む前記情報単位を複数個含んで構成される伝送情報を形成しバス上に出力する出力手段と、
を備える第１オーディオ情報再生装置と、
前記伝送情報を前記バスから取得し、当該取得した伝送情報から前記情報単位を抽出する抽出手段と、
複数の前記抽出された情報単位から前記オーディオ情報、前記再生制御情報の一部及び前記対応情報を取得する取得手段と、
前記取得された対応情報により示される前記再生制御情報を用いて前記取得されたオーディオ情報の再生態様を制御し、当該オーディオ情報を再生する再生手段と、
を備える第２オーディオ情報再生装置と、
前記バスと、
により構成されることを特徴とするオーディオ情報再生システム。
【請求項９】
再生すべきオーディオ情報の再生態様を制御する再生制御情報であってバスを介した伝送時に形成される一の情報単位の中に挿入することが可能な情報量よりも大きな情報量を有する再生制御情報と、前記オーディオ情報と、が夫々記録されている情報記録媒体から当該オーディオ情報及び再生制御情報を検出する検出工程と、
前記検出されたオーディオ情報と前記検出された再生制御情報との対応関係を示す対応情報を生成する生成工程と、
前記検出されたオーディオ情報、前記検出された再生制御情報の一部又は前記生成された対応情報のうち少なくともいずれか一つを含む前記情報単位を複数個含んで構成される伝送情報を形成しバス上に出力する出力工程と、
を備えることを特徴とするオーディオ情報再生方法。
【請求項１０】
再生すべきオーディオ情報の再生態様を制御する再生制御情報であってバスを介した伝送時に形成される一の情報単位の中に挿入することが可能な情報量よりも大きな情報量を有する再生制御情報、前記オーディオ情報と当該再生制御情報との対応関係を示す対応情報又は当該オーディオ情報のうち少なくともいずれか一つを含む前記情報単位を複数個含んで構成される伝送情報を、当該伝送情報が伝送されている前記バスから取得し、当該取得したオーディオ情報を再生するオーディオ情報再生方法であって、
前記取得した伝送情報から前記情報単位を抽出する抽出工程と、
複数の前記抽出された情報単位から前記オーディオ情報、前記再生制御情報及び前記対応情報を取得する取得工程と、
前記取得された対応情報により示される前記再生制御情報を用いて前記取得されたオーディオ情報の再生態様を制御し、当該オーディオ情報を再生する再生工程と、
を備えることを特徴とするオーディオ情報再生方法。
【請求項１１】
再生すべきオーディオ情報の再生態様を制御する再生制御情報であってバスを介した伝送時に形成される一の情報単位の中に挿入することが可能な情報量よりも大きな情報量を有する再生制御情報と、前記オーディオ情報と、が夫々記録されている情報記録媒体から当該オーディオ情報及び再生制御情報を検出する検出工程と、
前記検出されたオーディオ情報と前記検出された再生制御情報との対応関係を示す対応情報を生成する生成工程と、
前記検出されたオーディオ情報、前記検出された再生制御情報の一部又は前記生成された対応情報のうち少なくともいずれか一つを含む前記情報単位により構成される伝送情報を形成し前記バス上に出力する出力工程と、
を備える第１オーディオ情報再生方法と、
前記伝送情報を前記バスから取得し、当該取得した伝送情報から前記情報単位を抽出する抽出工程と、
複数の前記抽出された情報単位から前記オーディオ情報、前記再生制御情報の一部及び前記対応情報を取得する取得工程と、
前記取得された対応情報により示される前記再生制御情報を用いて前記取得されたオーディオ情報の再生態様を制御し、当該オーディオ情報を再生する再生工程と、
を備える第２オーディオ情報再生方法と、
により構成されることを特徴とするオーディオ情報再生方法。
【発明の詳細な説明】
【０００１】
【発明の属する技術分野】
本発明は、オーディオ情報再生システム、オーディオ情報再生装置及びオーディオ情報再生方法の技術分野に属し、より詳細には、音声情報及び音声情報以外の音情報を含むオーディオ情報と、当該オーディオ情報の再生態様の制御に用いられる再生制御情報と、を共に伝送し、当該再生制御情報を用いてオーディオ情報の再生を制御することが可能なオーディオ情報再生システム、オーディオ情報再生装置及びオーディオ情報再生方法の技術分野に属する。
【０００２】
【従来の技術】
近年、従来のＣＤ（Compact  Disk）に対して約７倍に記録容量を向上させたＤＶＤが一般化しつつある。
【０００３】
そして、このＤＶＤにディジタル的に情報を記録する場合の統一的な規格としては、映画等の動画情報を主として記録するためのいわゆるＤＶＤビデオ規格と、高音質のオーディオ情報を主として記録するためのいわゆるＤＶＤオーディオ規格とが夫々策定されており、夫々動画情報の作成者又はオーディオ情報の作成者等に頒布されつつあるところである。
【０００４】
このうち、ＤＶＤオーディオ規格に基づけば、その大容量が故に、例えば臨場感のあるいわゆるサラウンド再生のための制御情報やそのための３チャンネル以上複数チャンネルのオーディオ情報を一度に再生し、当該サラウンド再生を楽しむことが可能となる。
【０００５】
このとき、当該サラウンド再生を十分に楽しむためには、３以上のスピーカを用いることが必要であるが、当該オーディオ情報を再生しようとする使用者が通常の右再生用のスピーカと左再生用のスピーカとしか持ち合わせていない場合もあり得る。
【０００６】
このような場合に対応すべく、ＤＶＤオーディオ規格においては、３チャンネル以上複数チャンネル（具体的には、後述するＤＶＤオーディオ規格においては６チャンネル）のオーディオ情報を用いて２チャンネル（右再生用及び左再生用の２チャンネル）のオーディオ情報を合成する（当該合成によりチャンネル数を低減することを一般にダウンミックス処理と称する。）ための合成係数をテーブル化したものを予め用意しておき、当該複数チャンネルのオーディオ情報と共にＤＶＤに記録しておくことが可能となっている。
【０００７】
ここで、当該合成係数とは、３以上の各チャンネルのオーディオ情報のレベルに夫々乗じられることにより、右チャンネル用のオーディオ情報と左チャンネル用のオーディオ情報とを合成するための係数であり、ＤＶＤオーディオ規格においては、複数種類の当該合成係数がテーブル化されてＤＶＤに記録されることとなっている。
【０００８】
更に、当該ダウンミックス処理については、本来的にはＤＶＤプレーヤ自体において当該ダウンミックス処理を行い、２チャンネル化した後にオーディオ情報を外部に出力するのであるが、簡略化されたＤＶＤプレーヤの場合を考えると、ダウンミックス処理自体を当該ＤＶＤプレーヤで行うことはせず、３以上複数チャンネルのオーディオ情報と共に上記合成係数をアンプ（ＤＶＤプレーヤから出力されたオーディオ情報を増幅処理してスピーカ等に出力するアンプ（増幅器））に出力し、当該アンプ側でダウンミックス処理を行ってスピーカ等に出力する方がより高音質の再生を行うことができることとなる。
【０００９】
一方、近年、複数の情報処理装置（例えば、パーソナルコンピュータとディジタルビデオカメラ又はＭＤ（Mini  Disc）プレーヤ等）間でシリアルバスを介してリアルタイムに情報を伝送するための新たな規格として、いわゆるＩＥＥＥ１３９４規格（正式名称は、「IEEE  Std.1394-1995  IEEE  Standard  for  a  High  Performance  Serial  Bus」である。）が公表され、それに準拠したシリアルポートを備えたディジタルビデオカメラやパーソナルコンピュータ等が製品化されつつある。
【００１０】
このＩＥＥＥ１３９４規格においては、光ディスクプレーヤ又はアンプ等の複数の情報処理装置（以下、単にノードと称する。）間をシリアルバスにより接続し、これら各ノード間で複数チャンネル分（当該規格においては、一のシリアルバスで接続されている系内では最大で６３個の異なるチャンネルを用いて情報伝送できることが規格化されている。）の情報伝送を時分割的に実行するように規格化されている。
【００１１】
ここで、ＩＥＥＥ１３９４規格では、既にシリアルバスで相互に接続されているノード群に新たに他のノードを接続する場合（すなわち、バス接続時）又は上記ノード群から一のノードの接続を取り外す場合（すなわち、バス開放時）において、いわゆるバスリセットと称されるシリアルバスの初期化が実行されることが規格化されている。そして、当該バスリセット後に予め設定された所定の手順に則って新たなシリアルバスの接続形態（以下、当該接続形態をトポロジと称する。）が構築される。
【００１２】
そして、トポロジの構成後に実際に情報を伝送する場合には、当該情報の伝送を開始しようとするノードである伝送ノードは、ＩＲＭ（Isochronous  Resource  Manager）ノード（構成されたトポロジ内にある全てのノードの通信状態（具体的には、各ノードの使用チャンネル及び後述する伝送占有時間）を管理し、他のノードが識別可能に現在の使用チャンネル及び現在各ノードにおいて占有されている伝送占有時間を表示するノード）に対して現在の他のノードによる通信状態を照会し、自己が使用したいチャンネル及び伝送占有時間が使用可能であるならば、当該伝送ノードは情報を伝送する権利を獲得し（より具体的には、伝送ノードが使用するチャンネル及び後述する伝送占有時間を当該伝送ノードが確保して）情報伝送を開始する。このとき、当該情報伝送の直前に、当該伝送ノードは、上記ＩＲＭノードにおける通信状態の表示を書き換える旨（すなわち、当該伝送ノードが情報伝送を開始することによりシリアルバス上の使用中チャンネル及び伝送占有時間が変化するので、この変化後の新しい通信状態に当該表示内容を書き換える必要がある。）をＩＲＭノードに伝送し、これを受けたＩＲＭノードはその表示内容を更新する処理を夫々実行する。この後は、当該更新後の表示内容が他のノードから夫々参照することが可能となるのである。
【００１３】
次に、上記伝送占有時間について略説する。
【００１４】
ＩＥＥＥ１３９４規格においては、各ノードからの情報はアイソクロナスサイクル（ここで、「サイクル」とは、シリアルバス上を時分割的に分割して形成される一のサイクルをいう。）と称される単位毎に纏められて送信される。このアイソクロナスサイクルには、他のアイソクロナスサイクル内に含まれる情報と同期して伝送される情報（具体的には、画像情報又はオーディオ情報等）が含まれるアイソクロナス伝送領域と、他の情報とは無関係に非同期で伝送される情報（具体的には、上記画像情報又はオーディオ情報の出力等を制御するための制御情報等）が含まれるアシンクロナス伝送領域とが含まれている。そして、このアイソクロナス伝送領域内の情報が異なったチャンネル毎に時分割されており、夫々のチャンネル毎に異なった情報が伝送される。
【００１５】
このとき、当該アイソクロナス伝送領域においては、一のアイソクロナスサイクル内におけるアイソクロナス伝送領域の時間的長さが最大で１００μsecであることが規格化されており、従って、一のアイソクロナス伝送領域内の各チャンネルに割り当てられる情報がその伝送のために占有する時間の合計も１００μsec以下とする必要がある。この時、当該一のチャンネルがアイソクロナスサイクル内で占有する伝送時間が上記伝送占有時間である。
【００１６】
なお、この伝送占有時間は、場合によってはシリアルバスの使用帯域と称されることもあり、また、シリアルバスの使用容量と称される場合もある。
【００１７】
一方、一のアイソクロナスサイクル内において、アイソクロナス伝送領域の長さが１００μsec未満（零の場合も含む。）であるときは、当該アイソクロナス伝送領域以外のアイソクロナスサイクル内の時間は専らアシンクロナス伝送領域として用いられる。
【００１８】
上述した概要を有するＩＥＥＥ１３９４規格によれば、伝送すべき伝送情報における画像情報又はオーディオ情報等の属性によらず、大容量の情報を迅速に伝送することができると共に、伝送情報の他に例えば複写制御情報等を伝送することが可能であるため、当該伝送情報に対する著作権上の保護を万全としつつ伝送することも可能となる。
【００１９】
【発明が解決しようとする課題】
しかしながら、上記したＤＶＤプレーヤとアンプとを上記ＩＥＥＥ１３９４規格のシリアルバスにより接続し、上述したような３以上複数チャンネルのオーディオ情報とダウンミックス処理のための合成係数とを当該ＤＶＤプレーヤからアンプに伝送してダウンミックス処理を実行する場合を考えると、当該合成係数の情報量が大きいため、上述した一のアイソクロナスサイクル内で全ての合成係数を一度にアンプに伝送してダウンミックス処理を実行することができないという問題点があった。
【００２０】
すなわち、上記した合成係数はダウンミックス処理すべき複数チャンネルのオーディオ情報毎に予め設定されてＤＶＤに記録されているものであるが、上述したようにその情報量が大きいため一のアイソクロナスサイクル内で一度に伝送することができない。従って、一の合成係数を分解し複数のアイソクロナスサイクルを用いて時間差を持って個別に伝送するしかないわけであるが、この場合に、伝送後のアンプにおいてオーディオ情報とそのダウンミックス処理に用いるべき合成係数との対応関係が取れなくなってしまう場合があり、この場合には予め定められている対応関係に基づいたダウンミックス処理が実行できなくなってしまうのである。
【００２１】
そこで、本発明は、上記した問題点に鑑みて為されたもので、その課題は、一のアイソクロナスサイクル内で一度に伝送できない情報量を有する合成係数であっても確実にこれを伝送し、正確な対応関係に基づいてオーディオ情報の再生制御を行うことが可能なオーディオ情報再生システム、オーディオ情報再生装置及びオーディオ情報再生方法を提供することにある。
【００２２】
【課題を解決するための手段】
上記の課題を解決するために、請求項１に記載の発明は、再生すべきオーディオ情報の再生態様を制御する再生制御情報であってシリアルバス等のバスを介した伝送時に形成される一の情報単位の中に挿入することが可能な情報量よりも大きな情報量を有する合成係数テーブル等の再生制御情報と、前記オーディオ情報と、が夫々記録されているＤＶＤオーディオディスク等の情報記録媒体から当該オーディオ情報及び再生制御情報を検出するピックアップ等の検出手段と、前記検出されたオーディオ情報と前記検出された再生制御情報との対応関係を示すＴＰデータ等の対応情報を生成するＣＰＵ等の生成手段と、前記検出されたオーディオ情報、前記検出された再生制御情報の一部又は前記生成された対応情報のうち少なくともいずれか一つを含む前記情報単位を複数個含んで構成される伝送情報を形成し前記バス上に出力するパケット化部等の出力手段と、を備える。
【００２３】
よって、オーディオ情報、再生制御情報又は対応情報のうち少なくともいずれか一つを含んで情報単位を形成しバス上に出力するので、当該各情報を受け取った場合に、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【００２４】
上記の課題を解決するために、請求項２に記載の発明は、再生すべきオーディオ情報の再生態様を制御する再生制御情報であってシリアルバス等のバスを介した伝送時に形成される一の情報単位の中に挿入することが可能な情報量よりも大きな情報量を有する合成係数テーブル等の再生制御情報、前記オーディオ情報と当該再生制御情報との対応関係を示すＴＰデータ等の対応情報又は前記オーディオ情報のうち少なくともいずれか一つを含む前記情報単位を複数個含んで構成される伝送情報を、当該伝送情報が伝送される前記バスから取得し、当該取得したオーディオ情報を再生するオーディオ情報再生装置であって、前記取得した伝送情報から前記情報単位を抽出するリンク層解読部等の抽出手段と、複数の前記抽出された情報単位から前記オーディオ情報、前記再生制御情報及び前記対応情報を取得するパケット判読部等の取得手段と、前記取得された対応情報により示される前記再生制御情報を用いて前記取得されたオーディオ情報の再生態様を制御し、当該オーディオ情報を再生するダウンミックス演算部等の再生手段と、を備える。
【００２５】
よって、オーディオ情報、再生制御情報又は対応情報のうち少なくともいずれか一つを含んだ情報単位が伝送されて来るので、当該情報単位を取得することにより得られた対応情報を用いて再生制御情報とオーディオ情報とを対応づけることにより当該オーディオ情報の再生制御が可能となり、一の情報単位の中に含ませることができない情報量を有する再生制御情報を用いる場合であっても正確にこれを活用してオーディオ情報の再生制御を行うことができる。
【００２６】
上記の課題を解決するために、請求項３に記載の発明は、請求項１又は２に記載のオーディオ情報再生装置において、前記再生制御情報を含む前記情報単位は、前記再生態様に基づいて予め設定された時間間隔毎に前記バス上に出力されている。
【００２７】
よって、予め設定された時間間隔毎に再生制御情報を含む情報単位が出力されるので、確実に当該再生制御情報を伝送することができる。
【００２８】
上記の課題を解決するために、請求項４に記載の発明は、請求項１又は２に記載のオーディオ情報再生装置において、前記再生制御情報は、前記バス上において他の前記情報単位と同期して伝送される同期情報単位内に格納されて当該バス上に出力されている。
【００２９】
よって、簡易な処理で再生制御情報を伝送することができる。
【００３０】
上記の課題を解決するために、請求項５に記載の発明は、請求項１又は２に記載のオーディオ情報再生装置において、前記再生制御情報は、前記バス上において他の前記情報単位とは非同期で伝送される非同期情報単位内に格納されて当該バス上に出力されている。
【００３１】
よって、必要なときに逐次再生制御情報を伝送することができる。
【００３２】
上記の課題を解決するために、請求項６に記載の発明は、請求項１から５のいずれか一項に記載のオーディオ情報再生装置において、前記再生制御情報は、２以上の第１チャンネル数により前記情報記録媒体に記録されている前記オーディオ情報を、当該第１チャンネル数より少ない第２チャンネル数のオーディオ情報として再生するためのチャンネル数低減制御情報であるように構成される。
【００３３】
よって、チャンネル数低減のための再生制御情報を確実に伝送して低減されたチャンネル数によるオーディオ情報の再生を行うことができる。
【００３４】
上記の課題を解決するために、請求項７に記載の発明は、請求項１から６のいずれか一項に記載のオーディオ情報再生装置において、前記バスはＩＥＥＥ１３９４規格に基づいて前記伝送情報が伝送されるシリアルバスであると共に、前記情報単位は前記ＩＥＥＥ１３９４規格におけるアイソクロナスサイクルの一部を構成するものであるように構成される。
【００３５】
よって、ＩＥＥＥ１３９４規格の下で再生制御情報を確実に伝送することができる。
【００３６】
上記の課題を解決するために、請求項８に記載の発明は、再生すべきオーディオ情報の再生態様を制御する再生制御情報であってシリアルバス等のバスを介した伝送時に形成される一の情報単位の中に挿入することが可能な情報量よりも大きな情報量を有する合成係数テーブル等の再生制御情報と、前記オーディオ情報と、が夫々記録されているＤＶＤオーディオディスク等の情報記録媒体から当該オーディオ情報及び再生制御情報を検出するピックアップ等の検出手段と、前記検出されたオーディオ情報と前記検出された再生制御情報との対応関係を示すＴＰデータ等の対応情報を生成するＣＰＵ等の生成手段と、前記検出されたオーディオ情報、前記検出された再生制御手段の一部又は前記生成された対応情報のうち少なくともいずれか一つを含む前記情報単位を複数個含んで構成される伝送情報を形成しバス上に出力するパケット化部等の出力手段と、を備える第１オーディオ情報再生装置と、前記伝送情報を前記バスから取得し、当該取得した伝送情報から前記情報単位を抽出するリンク層解読部等の抽出手段と、複数の前記抽出された情報単位から前記オーディオ情報、前記再生制御情報の一部及び前記対応情報を取得するパケット判読部等の取得手段と、前記取得された対応情報により示される前記再生制御情報を用いて前記取得されたオーディオ情報の再生態様を制御し、当該オーディオ情報を再生するダウンミックス演算部等の再生手段と、を備える第２オーディオ情報再生装置と、前記バスと、により構成されている。
【００３７】
よって、オーディオ情報、再生制御情報又は対応情報のうち少なくともいずれか一つを含んで情報単位を形成しバス上に出力すると共に当該情報単位を取得して再生制御を行うので、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【００３８】
上記の課題を解決するために、請求項９に記載の発明は、再生すべきオーディオ情報の再生態様を制御する再生制御情報であってシリアルバス等のバスを介した伝送時に形成される一の情報単位の中に挿入することが可能な情報量よりも大きな情報量を有する合成係数テーブル等の再生制御情報と、前記オーディオ情報と、が夫々記録されているＤＶＤオーディオディスク等の情報記録媒体から当該オーディオ情報及び再生制御情報を検出する検出工程と、前記検出されたオーディオ情報と前記検出された再生制御情報との対応関係を示す対応情報を生成する生成工程と、前記検出されたオーディオ情報、前記検出された再生制御情報の一部又は前記生成された対応情報のうち少なくともいずれか一つを含む前記情報単位を複数個含んで構成される伝送情報を形成しバス上に出力する出力工程と、を備える。
【００３９】
よって、オーディオ情報、再生制御情報又は対応情報のうち少なくともいずれか一つを含んで情報単位を形成しバス上に出力するので、当該各情報を受け取った場合に、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【００４０】
上記の課題を解決するために、請求項１０に記載の発明は、再生すべきオーディオ情報の再生態様を制御する再生制御情報であってシリアルバス等のバスを介した伝送時に形成される一の情報単位の中に挿入することが可能な情報量よりも大きな情報量を有する合成係数テーブル等の再生制御情報、前記オーディオ情報と当該再生制御情報との対応関係を示すＴＰデータ等の対応情報又は当該オーディオ情報のうち少なくともいずれか一つを含む前記情報単位を複数個含んで構成される伝送情報を、当該伝送情報が伝送されている前記バスから取得し、当該取得したオーディオ情報を再生するオーディオ情報再生方法であって、前記取得した伝送情報から前記情報単位を抽出する抽出工程と、複数の前記抽出された情報単位から前記オーディオ情報、前記再生制御情報及び前記対応情報を取得する取得工程と、前記取得された対応情報により示される前記再生制御情報を用いて前記取得されたオーディオ情報の再生態様を制御し、当該オーディオ情報を再生する再生工程と、を備える。
【００４１】
よって、オーディオ情報、再生制御情報又は対応情報のうち少なくともいずれか一つを含んだ情報単位が伝送されて来るので、当該情報単位を取得することにより得られた対応情報を用いて再生制御情報とオーディオ情報とを対応づけることにより当該オーディオ情報の再生制御が可能となり、一の情報単位の中に含ませることができない情報量を有する再生制御情報を用いる場合であっても正確にこれを活用してオーディオ情報の再生制御を行うことができる。
【００４２】
上記の課題を解決するために、請求項１１に記載の発明は、再生すべきオーディオ情報の再生態様を制御する再生制御情報であってシリアルバス等のバスを介した伝送時に形成される一の情報単位の中に挿入することが可能な情報量よりも大きな情報量を有する合成係数テーブル等の再生制御情報と、前記オーディオ情報と、が夫々記録されているＤＶＤオーディオディスク等の情報記録媒体から当該オーディオ情報及び再生制御情報を検出する検出工程と、前記検出されたオーディオ情報と前記検出された再生制御情報との対応関係を示すＴＰデータ等の対応情報を生成する生成工程と、前記検出されたオーディオ情報、前記検出された再生制御情報の一部又は前記生成された対応情報のうち少なくともいずれか一つを含む前記情報単位を複数個含んで構成される伝送情報を形成し前記バス上に出力する出力工程と、を備える第１オーディオ情報再生方法と、前記伝送情報を前記バスから取得し、当該取得した伝送情報から前記情報単位を抽出する抽出工程と、複数の前記抽出された情報単位から前記オーディオ情報、前記再生制御情報の一部及び前記対応情報を取得する取得工程と、前記取得された対応情報により示される前記再生制御情報を用いて前記取得されたオーディオ情報の再生態様を制御し、当該オーディオ情報を再生する再生工程と、を備える第２オーディオ情報再生方法と、により構成されている。
【００４３】
よって、オーディオ情報、再生制御情報又は対応情報のうち少なくともいずれか一つを含んで情報単位を形成しバス上に出力すると共に当該情報単位を取得して再生制御を行うので、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【００４４】
【発明の実施の形態】
次に、本発明に好適な実施の形態について、図面に基づいて説明する。
【００４５】
（Ｉ）前提事項の説明
始めに、本発明に係る具体的な実施形態を説明する前に、その前提となる上述したＤＶＤオーディオ規格及びＩＥＥＥ１３９４規格について説明する。
【００４６】
（ｉ）ＤＶＤオーディオ規格について
先ず、実施形態に係るＤＶＤオーディオ規格について、図１を用いて説明する。
【００４７】
なお、図１は後述するＤＶＤオーディオディスクにＤＶＤオーディオ規格に基づいてオーディオ情報を記録する場合の記録フォーマットを示す図である。
【００４８】
図１に示すように、ＤＶＤオーディオ規格に基づいてオーディオ情報が記録される情報記録媒体としての光ディスクであるＤＶＤオーディオディスク２００は、その最内周部にリードインエリアＬＩを有すると共にその最外周部にリードアウトエリアＬＯを有し、それらの間には、一つのボリュームスペースＶＳが形成されている。
【００４９】
そして、当該ボリュームスペースＶＳ内に、リードインエリアＬＩ側から、ＤＶＤオーディオディスク２００内に記録されるオーディオ情報のファイル構造を管理するための情報を含むＵＤＦ（Universal  Disk  Format）２０１と、実際にオーディオ情報及び当該オーディオ情報に関連する静止画情報を含む少なくとも一つのオーディオゾーン２００’と、動画情報又はサブピクチャ情報（例えば、動画中に表示される字幕等の文字情報をいう。）を含む少なくとも一つのビデオゾーン２００”と、画像情報又はオーディオ情報以外の情報（例えば、単なる文字情報等）を含むアザーゾーン２００"'が形成されている。
【００５０】
次に、オーディオゾーン２００’内に含まれるオーディオ情報は、夫々にＩＤ（識別）番号を有する複数のＡＴＳ（Audio  Title  Set）２０３（ＡＴＳ＃１〜ＡＴＳ＃ｎ）に分割されており、更に、オーディオゾーン２００’内のＡＴＳ２０３以外の部分には、当該オーディオゾーン２００’の先頭から、オーディオ情報を複数チャンネルで再生するのに必要な情報であるＳＡＰＰＴ（Simple  Audio  Play  Pointer  Table）２０４（このＳＡＰＰＴ２０４はオーディオゾーン２００’を有する全てのＤＶＤオーディオディスク２００内に必ず記録されている。）と、オーディオゾーン２００’内に記録されている後述するタイトルグループの再生処理に必要な情報であるＡＭＧ（Audio  Manager）２０２と、オーディオゾーン２００’内に含まれるオーディオ情報に対応する静止画のデータである静止画データ２０５と、が記録されている。
【００５１】
そして、ＳＡＰＰＴ２０４には、複数チャンネルで再生できる全てのトラック（曲）のＤＶＤオーディオディスク２００上の記録位置を示す開始アドレス及び終了アドレス並びに各トラックの先頭ＰＴＳ（Presentation  Time  Stamp）、トラック再生時間等が記録されている。
【００５２】
また、ＡＭＧ２０２には、例えば、視聴者に対して項目選択を促すためのメニューや、違法コピー防止のための情報、又は夫々のタイトルを再生処理するためのアクセステーブル等、当該ＤＶＤオーディオディスク２００に記録されているオーディオ情報の全体に係わる情報が記録されている。
【００５３】
次に、一のＡＴＳ２０３は、ＡＴＳＩ（Audio  Title  Set  Information）２１１を先頭として、夫々にＩＤ番号を有する複数のＡＯＢ（Audio  Object）２１０から構成されている。
【００５４】
ここで、複数のＡＯＢ２１０により構成されている部分を一般にＡＯＢセット（ＡＯＢＳ）という。このＡＯＢセットはオーディオ情報の実体部分を他の制御情報等と区分して扱うためのものである。
【００５５】
次に、ＡＴＳ２０３の先頭に記録されるＡＴＳＩ２１１には、複数のセル（セルについては後述する。）を組みあわせた論理的区分であるプログラムチェインに関する種々の情報であるＡＴＳＰＧＣＩ（Audio  Title  Set  Program  Chain  Information）等の情報が記録される。
【００５６】
なお、後述するダウンミックス処理に必要な再生制御情報としての上記合成係数テーブル（Down  Mix  Coefficient  Table;DMCT）ＣＴは各ＡＴＳ２０３毎に異なるものであり、当該ＡＴＳ２０３毎にＡＴＳＩ２１１内に含まれている。ここで、一の合成係数テーブルには、ＤＶＤオーディオ規格に基づいてＤＶＤオーディオディスク２００に記録されている６チャンネルのオーディオ情報の夫々に乗算されてダウンミックス処理されるべき六つの合成係数が一組として含まれている。
【００５７】
一方、各ＡＯＢ２１０には、オーディオ情報の実体部分が含まれている。そして、一のＡＯＢ２１０は、夫々にＩＤ番号を有する複数のセル２２０により構成されている。
【００５８】
次に、一のセル２２０は、階層構造の最下層である夫々パック化された複数のオーディオパック２３０により構成される。ここで、オーディオパック２３０は、ＤＶＤオーディオディスク２００に記録されるべきオーディオ情報を所定の大きさ毎にパック化したものである。
【００５９】
なお、一のセル２２０内には、上記オーディオパック２３０以外に、一又は複数のオーディオパック２３０に代えて、作曲者や著作権に関する情報、曲名や歌詞などのテキスト情報、インターネットのホームページへアクセスするためのアクセス情報、ＢＰＭ（Beat  Per  Minutes）又は拍情報等を含むリアルタイム情報パック（Real  Time  Information  Pack）を含ませることもできる。
【００６０】
次に、一のオーディオパック２３０には、その先頭から、パックヘッダ２４０と、当該オーディオパック２３０内において、オーディオ情報を含んでいるＤＶＤオーディオ規格に基づくプライベートストリーム１と称される形式に基づいたパケットであることを識別するための識別番号等が含まれているパケットヘッダ２４１と、実際にオーディオ情報を含んでいることを識別するための識別番号及び後述するＤＶＤプレーヤＤＶによりＤＶＤオーディオディスク２００から再生したオーディオ情報をＩＥＥＥ１３９４規格により伝送した後、例えば、ＤＶＤオーディオ規格に対応した後述するアンプＡＰにより伝送されたディジタル信号を変換及び増幅処理してスピーカにより音情報として再生する際の当該再生態様（具体的には、再生時のチャンネル数、エンファシス処理を施して再生するか否か或いはダイナミックレンジの制御を行って再生するか否か等）を制御するための出力制御データ等が含まれているプライベートヘッダ２４２と、オーディオ情報の実体部分であるオーディオデータ２４３とが含まれている。
【００６１】
そして、後述する各実施形態においては、上記したプライベートヘッダ２４２内に含まれている出力制御データを、再生したオーディオ情報と共に伝送し、伝送先である上記アンプＡＰにおいて当該出力制御データに基づき種々の処理をオーディオ情報に対して施した後に音情報として出力する構成となっている。
【００６２】
（ii）ＩＥＥＥ１３９４規格について
次に、実施形態に係るＩＥＥＥ１３９４規格（以下、単にシリアルバス規格と称する。）に基づいたバスとしてのシリアルバスによる情報伝送について、図２乃至図４を用いて一般的に説明する。
【００６３】
なお、図２は当該シリアルバス規格におけるトポロジの一形態を例示する図であり、図３はシリアルバス上の伝送形態を例示する図であり、図４はアイソクロナスサイクルの構成を示す図である。
【００６４】
上記シリアルバス規格は、現存する又は将来考えられる種々の電気製品を含む情報処理装置全てをシリアルに接続し、相互に情報の授受を行おうとするためのシリアルバスの規格である。
【００６５】
より具体的には、各ノードの接続時の設定が全て自動で行なわれ、更に電源を断にすることなく新たなノードを接続することが可能となっている。
【００６６】
一方、情報伝送の態様については、１００Ｍbps（bit  per  second）乃至３．２Ｇbpsの範囲で高速伝送が可能であり、更にリアルタイム伝送、双方向伝送及び多チャンネル伝送により多種の情報を伝送することが可能となっている。
【００６７】
また、各ノードの接続の形態については、図２（ａ）に示す情報伝送システムＳのように、例えば、パーソナルコンピュータＰＣをルートノード（上述したようなツリー状トポロジにおける頂点のノード）として、ＣＤプレーヤＣＰ、ＭＤプレーヤＭＰ、デジタルビデオカメラＤＶＣ、プリンタＰＲ、ＬＤ（LASER  Disc）プレーヤＬＰ、チューナＴ、スピーカＳＰ、アンプＡＰ、テレビジョン装置ＴＶ、ディジタルビデオテープレコーダＶＴ、ＤＶＤプレーヤＤＶ及び放送電波受信用のセットトップボックス（Set  Top  Box）ＳＢ等の種々の電気製品をデータバスとしてのシリアルバスＢにより夫々接続し、これらをパーソナルコンピュータＰＣにより統括して制御することが可能となっている。
【００６８】
ここで、当該シリアルバス規格においては、一つの系（シリアルバスＢでツリー状に接続されている系）の中に含むことが可能な情報処理装置（上記ノードに相当する。）の数は最大で６３個であり、更に、一つの系の中に二つのノード間の接続を最大で１６個まで含ませることができる。なお、当該一つの系内で複数のノードＮＤを図２（ｂ）に示すようにループ状に接続することは規格上禁止されている。
【００６９】
次に、実際の伝送形態について、具体的に例示しつつ説明する。
【００７０】
始めに、図３（ａ）に示すように、デジタルビデオカメラＤＶＣ、ディジタルビデオテープレコーダＶＴ、パーソナルコンピュータＰＣ及びセットトップボックスＳＢが夫々ノードとして相互にシリアルバスＢにより接続され、情報伝送を行っているとする。より具体的には、デジタルビデオカメラＤＶＣからはビデオデータを、ディジタルビデオテープレコーダＶＴからは所定の制御コマンドを、パーソナルコンピュータＰＣからは同様に他の機器を制御するための制御コマンドを、セットトップボックスＳＢからは受信した放送電波に含まれていた画像データ（例えば、ＭＰＥＧ（Moving  Picture  Expert  Group）規格により圧縮されたＭＰＥＧデータ）を、夫々シリアルバスＢ上に送出しているとする。
【００７１】
この場合、シリアルバスＢ上における送出された各情報の伝送形態としては、図３（ｂ）に示すように、夫々のノードからの情報が、シリアルバスＢ上を時分割的に夫々占有しつつ伝送される。そして、各情報は、１２５μsecの長さを有するシリアルバスＢ上の同期単位である上記アイソクロナスサイクルＩＣ内に挿入されて伝送される。
【００７２】
次に、上記アイソクロナスサイクルＩＣ内のデータ構造について、図４を用いて説明する。
【００７３】
図４に示すように、アイソクロナスサイクルＩＣは、全てのノードの基準時刻を合わせるためにアイソクロナスサイクルＩＣの先頭に常に挿入されるサイクルスタートパケットＣＳＰと、複数チャンネル分のアイソクロナスパケットＩＰにより構成され、時間的に同期した情報が夫々のアイソクロナスパケットＩＰに含まれることにより構成されているアイソクロナス伝送領域ＩＣＴと、非同期の情報（例えば、種々の制御情報及び当該各制御情報に対応する応答情報等）が含まれているアシンクロナス伝送領域ＡＣＴと、により構成されている。
【００７４】
また、各アイソクロナス伝送領域ＩＣＴの最後尾及びアシンクロナス伝送領域ＡＣＴの最後尾には、一のアイソクロナス伝送領域ＩＣＴの終了又は一のアシンクロナス伝送領域ＡＣＴの終了を示す時間的間隙であるサブアクションギャップＳＧが挿入されている。更に、各アイソクロナスパケットＩＰの間及びサイクルスタートパケットＣＳＰと先頭のアイソクロナスパケットＩＰの間には、夫々のパケットの終了を示す時間的間隙であるアイソクロナスギャップＩＧが挿入されている。このとき、上記サブアクションギャップＳＧの長さはアイソクロナスギャップＩＧの長さよりも長く設定されている。
【００７５】
次に、一のアイソクロナスパケットＩＰは、各アイソクロナスパケットＩＰ内のデータ量を示す情報や各アイソクロナスパケットＩＰ内の情報を伝送するチャンネルを示す情報等を含むＩＰ（Isochronous  Packet）ヘッダＩＰＨと、後述するＣＩＰヘッダＣＩＰＨと、実際の映像情報又は音声情報を含むデータ領域ＤＦと、により構成されている。
【００７６】
一方、アシンクロナス伝送領域ＡＣＴは、各ノードからの情報の送出を行った旨の意志表示を当該各ノードが行うための時間的間隙であるアービトレーションリセットギャップＡＰＧと、非同期に伝送される制御情報等のデータが含まれるデータパケットＤＰと、送信先のノードからの返信に用いられるデータが含まれるアクノリッジパケットＡＣＰとにより構成されている。ここで、データパケットＤＰとアクノリッジパケットＡＣＰとの間には、一のデータパケットＤＰの終了を示す時間的間隙であるアシンクロナスギャップＡＧが挿入されている。
【００７７】
次に、一のデータパケットＤＰは、各データパケットＤＰの宛先を示す情報を含むＡＰ（Asynchronous  Packet）ヘッダＡＰＨと、アシンクロナス伝送領域ＡＣＴを占有するデータパケットＤＰの伝送占有時間を示す情報及び占有するチャンネルを示す情報又は実際の制御情報等を含むデータ領域ＡＤＦと、により構成されている。
【００７８】
上記したシリアルバス規格によれば、パーソナルコンピュータ等の情報処理装置から高速に制御情報等を伝送することにより、家庭電化製品又はＤＶＤプレーヤ等の音響映像装置等を一元的に制御することが可能となると共に、各ノード間でも画像情報又はオーディオ情報等を迅速且つ正確に相互伝送することが可能となる。
【００７９】
（II）第１実施形態
次に、上述した前提事項を踏まえた本発明の第１実施形態について、図５乃至図１１を用いて説明する。
【００８０】
なお、以下に説明する各実施形態は、上述したＤＶＤオーディオ規格に基づいてオーディオ情報及び画像情報等が記録されているＤＶＤオーディオディスク２００から当該オーディオ情報及び画像情報を再生して外部に出力すると共に、当該再生したオーディオ情報を上記シリアルバス規格に基づいて伝送するノードの一つとしてのＤＶＤプレーヤＤＶと、当該伝送されたオーディオ情報に対して外部に出力するための増幅処理等を行うノードの一つとしてのアンプＡＰと、が上述したシリアルバス規格に準拠したシリアルバスＢにより接続されており（図２（ａ）参照）、当該ＤＶＤプレーヤＤＶから３以上複数チャンネル（具体的には、６チャンネル）の当該オーディオ情報を伝送し、これをアンプＡＰにおいて２チャンネルのオーディオ情報に変換して（すなわち、上記ダウンミックス処理を行って）出力する場合について本発明を適用した実施の形態である。
【００８１】
また、図５及び図６は当該ＤＶＤプレーヤＤＶの構成を夫々示すブロック図であり、図７及び図８は第１実施形態に係るアイソクロナスパケットＩＰの具体的な構成を示す図であり、図９は当該アンプＡＰの構成を示すブロック図であり、図１０は第１実施形態に係るオーディオ情報及び合成係数テーブル等の伝送処理を示すフローチャートであり、図１１は当該伝送処理により伝送されるデータブロックの具体的な構成を示す図である。
【００８２】
先ず、第１実施形態に係るＤＶＤプレーヤＤＶの構成について図５及び図６を用いて説明する。
【００８３】
図５に示すように、第１実施形態に係るＤＶＤプレーヤＤＶは、スピンドルモータ２と、検出手段としてのピックアップ３と、ヘッドアンプ４と、サーボコントローラ５と、Ａ／Ｄ（Analog/Digital）コンバータ６と、ＲＦ（Radio  Frequency）復号器７と、データ復号器８と、ＲＡＭ（Random  Access  Memory）９及び１１と、生成手段としてのＣＰＵ１０と、入力部１２と、出力手段としてのパケット化部１３と、により構成されている。
【００８４】
また、データ復号器８は、デマルチプレクサ８１と、ビデオデコーダ８２と、サブピクチャデコーダ８３と、混合器８４と、エンコーダ８５と、Ｄ／Ａ（Digital/Analog）コンバータ８６及び８８と、オーディオデコーダ８７と、メモリコントローラ８９と、により構成されている。
【００８５】
更に、パケット化部１３は、図６に示すように、ラベル付加部２０と、ＲＡＭ２１と、パラレル／シリアル変換部２２と、リンク層形成部２３と、物理層形成部２４と、により構成されている。
【００８６】
次に、概要動作を説明する。
【００８７】
スピンドルモータ２は、図示しないターンテーブル上に載置されているＤＶＤオーディオディスク２００をサーボコントローラ５から出力される後述するスピンドル制御信号Ｓspdに基づいて所定の線速度で回転させる。
【００８８】
このとき、ピックアップ３は、ＤＶＤオーディオディスク２００に情報再生用のレーザ光等の光ビームＢを照射すると共に当該光ビームＢのＤＶＤオーディオディスク２００の情報記録面からの反射光を受光し、当該受光した反射光の光量に対応する検出信号をへッドアンプ４に出力する。
【００８９】
これにより、ヘッドアンプ４は、ピックアップ３から出力された上記検出信号に対して予め設定された増幅処理等を施し、光ビームＢの焦点位置の上記情報記録面に垂直な方向の位置のずれを示すフォーカスエラー信号Ｓfe並びに当該焦点位置の情報記録面に平行な方向の位置のずれを示すトラッキングエラー信号Ｓteを生成してサーボコントローラ５に出力すると共に、記録されている記録情報に対応してＤＶＤオーディオディスク２００上に形成されているピット列により光ビームＢが回折されることにより得られる当該光ビームＢの回折光成分を含むＲＦ信号Ｓrfを生成して、Ａ／Ｄコンバータ６に出力する。
【００９０】
そして、サーボコントローラ５は、ＣＰＵ１０からのサーボ制御信号Ｓsycに対応してトラッキングサーボ制御用及びフォーカスサーボ制御用のサーボループを形成し、ヘッドアンプ４から出力されたフォーカスエラー信号Ｓfeに基づきフォーカスアクチュエータ駆動信号Ｓfdを生成してピックアップ３の図示しないフォーカスアクチュエータに出力すると共に、トラッキングエラー信号Ｓteに基づきトラッキングアクチュエータ駆動信号Ｓtdを生成しピックアップ３の図示しないトラッキングアクチュエータに出力する。
【００９１】
これらに加えて、サーボコントローラ５は、ＤＶＤオーディオディスク２００の回転周期に同期した周期を有してＲＦ復号器７から出力される同期信号Ｓsyncと図示しない基準信号との周波数差及び位相差を検出し、当該周波数差及び位相差に基づき上記スピンドル制御信号Ｓspdを生成してスピンドルモータ２に出力する。
【００９２】
これらのサーボコントローラ５の作用により、光ビームＢは、上記基準信号に対応した所定の線速度で回転駆動されたＤＶＤオーディオディスク２００の情報記録面上に合焦しながら、上記ピット列上を正確に移動するように制御される。
【００９３】
一方、ヘッドアンプ４からＡ／Ｄコンバータ６に出力されたＲＦ信号Ｓrfは、当該Ａ／Ｄコンバータ６によりディジタル化され、ディジタルＲＦ信号Ｓrfdに変換されてＲＦ復号器７に出力される。
【００９４】
そして、ＲＦ復号器７は、出力されたデジタルＲＦ信号Ｓrfdから上記同期信号Ｓsyncを抽出してサーボコントローラ５に出力すると共に、ＤＶＤオーディオディスク２００に記録されている記録情報における例えば８／１６変調等の記録変調方式に基づいた復調処理並びにエラー訂正処理を行うことにより、デジタルＲＦ信号Ｓrfdを、ビデオストリーム、オーディオストリーム及びサプビクチャストリームを含んで図１に示したデータ構造を有する記録情報データストリームＳdstに復号し、データ復号器８に出力する。
【００９５】
これらに加えて、ＲＦ復号器７は、復号された記録情報データストリームＳdstから上述したプライベートヘッダ２４２内に含まれている出力制御データを抽出し、出力制御信号ＳfkとしてＣＰＵ１０へ出力する。
【００９６】
次に、データ復号器８は、ＣＰＵ１０の制御に基づいて、ＲＦ復号器７から出力される記録情報データストリームＳdstからビデオストリーム（主として図１に示すビデオゾーン２００”から検出されたビデオストリーム）、オーディオストリーム（主として図１に示すオーディオゾーン２００’から検出されたオーディオストリーム）及びサブビクチャストリームを夫々抽出し、各ストリーム毎に規定されている所定の符号化方式に基づいてこれらを夫々復号し、夫々ビデオデータ、オーディオデータＳad並びにサブピクチャデータを生成する。
【００９７】
更に、パケット化部１３は、ＣＰＵ１０からの制御信号Ｓcに基づき、当該ＣＰＵ１０から出力されてくる付加データＳapであって、上記出力制御信号Ｓfk及び後述する伝送信号Ｓieに含まれるべきアイソクロナスパケットＩＰを形成するために必要な付加情報を含む付加データＳap並びに上記オーディオデータＳadを上記シリアルバス規格に準拠するようにパケット化して上記アイソクロナスパケットＩＰを生成し、伝送信号Ｓieとして図示しないＩＥＥＥ１３９４インターフェースを介してシリアルバスＢ上に出力する。
【００９８】
次に、データ復号器８の細部動作について、図５を用いて説明する。
【００９９】
先ず、デマルチプレクサ８１は、ＲＦ復号器７から出力された記録情報データストリームＳdstからビデオストリームＳvst、オーディオストリームＳast及びサブピクチャストリームＳsstを夫々抽出し、ビデオストリ一ムＳvstをビデオデコーダ８２に、オーディオストリームＳastをオーディオデコーダ８７に、更にサブピクチャストリームＳsstをサプピクチャデコーダ８３に、それぞれデータバス８０、メモリコントローラ８９並びにＲＡＭ９を介して分配する。
【０１００】
そして、オーディオデコーダ８７は，ＣＰＵ１０から出力されるオーディオストリームに対するデコード制御信号Ｓdas（具体的には、ストリーム番号並びに符号化方式コード等を含む。）に基づいて、デマルチプレクサ８１から出力された、最大で８ストリームあるオーデイオストリームＳastのうちの一のオーディオストリームＳastの復号処理を行ってオーディオデータＳadを生成し、Ｄ／Ａコンバータ８８及びパケット化部１３に出力する。
【０１０１】
ここで、第１実施形態においては、再生されるオーディオストリームＳastにはサラウンド再生用の６チャンネルのオーディオデータが一定周期のサンプリングクロック毎に切り換わりつつ含まれているものとして以下の説明を行うが、このとき、当該オーディオデコーダ８７は、当該サンプリングクロックに同期したクロック信号Ｓscを生成してＣＰＵ１０へ出力する。
【０１０２】
一方、ビデオデコーダ８２は、ＣＰＵ１０から出力される、ビデオストリームＳvstに対するデコード制御信号Ｓdvs（具体的には、符号化方式コード等を含む。）に基づいて、デマルチプレクサ８１から出力されたビデオストリームＳvstの復号処理を行ってビデオデータＳvdを生成し、混合器８４に出力する。
【０１０３】
更に、サブピクチャデコーダ８３は、ＣＰＵ１０から出力される、サブピクチャストリームＳsstに対するデコード制御信号Ｓdss（具体的には、ストリーム番号並びに符号化方式コード等を含む。）に基づいて、デマルチプレクサ８１から出力されたサブピクチャストリームＳsstの復号処理を行ってサブピクチャデータＳsdを生成し、混合器８４に出力する。
【０１０４】
これらにより、混合器８４は、ＣＰＵ１０から出力される重畳制御信号Ｓmxcに基づいて、ビデオデータＳvdとサブピクチャデータＳsdを合成する。このとき、混合器８４は、ＣＰＵ１０からＨレベルの重畳制御信号Ｓmxcが出力された場合には、ビデオデータＳvdにサブピクチャデータＳsdを重量したデータを重畳ビデオデータＳmxvとしてエンコーダ８５に出力すると共に、ＣＰＵ１０からＬレベルの重畳制御信号Ｓmxcが出力された場合には、ビデオデータＳvdへのサブピクチャデータＳsdの重畳を行うことなくビデオデータＳvdを重畳ビデオデータＳmxvとしてエンコーダ８５に出力する。
【０１０５】
そして、エンコーダ８５は、出力された重畳ビデオデータＳmxvを所定のテレビジョン方式に準じたビデオフォーマットデータに符号化してＤ／Ａコンバータ８６に出力する。
【０１０６】
これにより、Ｄ／Ａコンバータ８６は、出力されたビデオフォーマットデータをアナログ信号に変換して図示しない外部モニタ等に出力する。
【０１０７】
また、上述した動作に対応して、ＣＰＵ１０は、使用者によって操作される入力部１２から出力される操作指令に応じてサーボコントローラ５を制御すべく、当該サーボコントローラ５に対して上記サーボ制御信号Ｓsycを出力すると共に、データ復号器８中の上記各デコーダのデコード処理を制御すべく、上記各デコード制御信号Ｓdas、Ｓdvs及びＳdss並びに重畳制御信号Ｓmxcを生成してデータ復号器８に出力し、更に主としてＤＶＤプレーヤＤＶ全体の情報再生動作に関わる動作制御を行う。なお、当該ＣＰＵ１０の処理は、ＲＡＭ１１との間でデータの授受を行いつつ実行される。
【０１０８】
次に、パケット化部１３の細部動作及び当該細部動作に関連するＣＰＵ１０の動作を説明する。
【０１０９】
上述したように、パケット化部１３は、上記オーディオデータＳad及び上記付加データＳapに含まれている情報を用いてアイソクロナスパケットＩＰを構成するのであるが、当該パケット化動作は、オーディオデコーダ８７から出力されてくるクロック信号Ｓscに含まれている上記サンプリングクロックに同期してＣＰＵ１０が制御することにより実行される。
【０１１０】
すなわち、ＣＰＵ１０は、クロック信号Ｓsc中のサンプリングクロックの立ち上がりを検出すると、先ず、３２ビットのＩＣヘッダＩＰＨ（図４参照）を付加データＳapとしてＲＡＭ２１内に書き込み、更に当該ＩＣヘッダＩＰＨの内容をエラー訂正するためのエラー訂正符号を３２ビットＲＡＭ２１内に書き込む。なお、後述する図７においては、当該ＩＣヘッダＩＰＨそのものと当該エラー訂正符号を纏めてＩＣヘッダＩＰＨとしている。
【０１１１】
次に、ＣＰＵ１０は、６４ビットのＣＩＰヘッダＣＩＰＨ（図４参照）を付加データＳapとしてＲＡＭ２１内に書き込む。
【０１１２】
このとき、ＲＡＭ２１への書込みは、当該ＲＡＭ２１とＣＰＵ１０との間に接続されている図示しないデータバスに付加データＳapを出力しつつ同様にＲＡＭ２１とＣＰＵ１０との間に接続されている図示しないアドレスバスを一バイトづつインクリメントしながら実行される。
【０１１３】
これと並行して、ラベル付加部２０は、入力されるオーディオデータＳadに対応して各チャンネル毎に後述する８ビットのラベルを生成し、当該生成されたレベル及び当該オーディオデータＳadがラベル付加データＳblとしてＲＡＭ２１に書き込まれる。このとき、１チャンネル当たりのデータ長は３２ビットであり、このうちラベルが８ビット分を占有しオーディオデータＳadが２４ビット分を占有する。
【０１１４】
次に、ＣＰＵ１０はＲＦ復号器７から出力されている出力制御信号Ｓfkに含まれている出力制御データを付加データＳapとしてＲＡＭ２１に書き込む。
【０１１５】
そして、上述したラベル付加部２０によるラベル付加データＳblのＲＡＭ２１への書き込み及びＣＰＵ１０による付加データＳapのＲＡＭ２１への書込みが、異なるオーディオデータＳadについて予め設定されている回数（以下、この回数をｎとする。）だけ繰り返される。
【０１１６】
ここで、当該繰り返し数ｎは、パケット化するオーディオデータ２４３（Ｓad）のサンプリング周波数及び量子化ビット数並びにシリアルバス規格におけるインターフェースの伝送ビットレート等に基づいて予め設定されるものであり、具体的には、例えば、ｎの値が「１６」とされている。
【０１１７】
次に、ラベル付加データＳbl及び付加データＳapのＲＡＭ２１への書込みが全て終了すると、最後に、アイソクロナスパケットＩＰ内の全データをエラー訂正するための３２ビットのエラー訂正符号データＣＲＣをＲＡＭ２１内に書き込む。
【０１１８】
以上の動作により、ＲＡＭ２１上には、一のアイソクロナスパケットＩＰを構成すべき全てのデータが書き込まれる。
【０１１９】
そして、ＲＡＭ２１は、各データの書込みが終了すると、当該各データをパラレルデータであるメモリ信号Ｓmrとしてパラレル／シリアル変換部２２へ出力する。
【０１２０】
これにより、パラレル／シリアル変換部２２は、メモリ信号Ｓmrの内容をシリアルデータに変換し、シリアルメモリ信号Ｓsrとしてリンク層形成部２３へ出力する。
【０１２１】
そして、リンク層形成部２３は、シリアルバス規格に準拠してシリアルメモリ信号Ｓsrに含まれるデータを用いてアイソクロナスパケットＩＰとしてのリンク層を形成し、リンク信号Ｓlkを生成して物理層形成部２４へ出力する。
【０１２２】
最後に、物理層形成部２４は、シリアルバス規格に準拠してリンク信号Ｓlkに含まれるデータを用いてアイソクロナスパケットＩＰとしての物理層を形成し、最終的に当該アイソクロナスパケットＩＰを生成して伝送信号Ｓieを形成し図示しないＩＥＥＥ１３９４インターフェース及びシリアルバスＢを介して後述するアンプＡＰに出力する。
【０１２３】
次に、伝送信号Ｓieとしてパケット化部１３から出力されるアイソクロナスパケットＩＰの具体的構成について、図７及び図８に例示しつつ説明する。なお、以下の図７及び図８においては、説明の容易化のため、アイソクロナスパケットＩＰにおける４バイト（３２ビット）を横一列として示している。
【０１２４】
図７に示すように、一のアイソクロナスパケットＩＰは、全体として３２ビット×（４＋ｎ×８＋１）列の構成を有している。
【０１２５】
このうち、先頭の４列は、上記ＩＣヘッダＩＣＨ及びＣＩＰヘッダＣＩＰＨにより占められている。
【０１２６】
次に、当該先頭の４列以降のアイソクロナスパケットＩＰ内には、夫々８列毎にデータブロックＤＢが含まれている。
【０１２７】
ここで、当該各データブロックＤＢには、後述するように、第１乃至第３実施形態毎に異なる態様でダウンミックス処理すべきオーディオデータＳad及び当該ダウンミックス処理に用いられる合成係数テーブル等の情報が含まれることとなる。
【０１２８】
そして、一のアイソクロナスパケットＩＰの最後尾には、当該アイソクロナスパケットＩＰ内の全データをエラー訂正するための上記エラー訂正データＣＲＣが３２ビット付加されており、以上の各データにより最終的に一のアイソクロナスパケットＩＰが構成されている。
【０１２９】
次に、上記ＣＩＰヘッダＣＩＰＨとして具体的には、図８に示すように、当該ＣＩＰヘッダＣＩＰＨを含むアイソクロナスパケットＩＰを送出したノードを識別するためのノード識別子（Source  ID）ＳＩＤと、データ領域ＤＦ内に含まれているデータブロックの数を示すデータブロック数ＤＢＳと、一のノードから送出された複数のデータ領域ＤＦ内のデータに対して送出順に連続して付与される順番情報（Data  Block  Counter）ＤＢＣと、データ領域ＤＦ内に含まれているデータの種類を示すデータ識別子（Format  ID。第１実施形態の場合はオーディオデータＳadであることを示す内容を有する。）ＦＭＴと、データ識別子ＦＭＴにより示されるデータの種類に関連するデータ（アイソクロナスパケットＩＰ内に含まれているオーディオデータＳadのサンプリング周波数及び後続する各データの形式（８ビットのラベルと２４ビットの具体的データを有するデータ形式であること）等）である関連情報（Format  Dependent  Field）ＦＤＦと、データ領域ＤＦ内に含まれているデータが、当該データを受信するノードにおいて受信された後対応する処理が開始される時間である処理時間情報ＳＹＴと、が少なくとも含まれている。
【０１３０】
ここで、以上説明したように、図７に示す８列毎のデータブロックＤＢにより、伝送するオーディオデータＳadにおける一のサンプルタイミングに対応する一情報単位のデータが構成されることとなるが、上述したように一のアイソクロナスパケットＩＰにはｎ個のサンプルタイミングに対応する当該一情報単位のデータが組み込まれるので、結果として、８列毎のデータブロックＤＢが合計でｎ組だけ一のアイソクロナスパケットＩＰ内に配列されることとなる。
【０１３１】
なお、図７に示したアイソクロナスパケットＩＰの構成においては、第５列目乃至第（４＋ｎ×８＋１）列目が図４に示すデータ領域ＤＦに相当している。
【０１３２】
次に、第１実施形態に係るアンプＡＰの構成について図９を用いて説明する。
【０１３３】
図９に示すように、第１実施形態に係るアンプＡＰは、ＣＰＵ２５と、メモリ２６と、物理層解読部２７と、抽出手段としてのリンク層解読部２８と、取得手段としてのパケット判読部２９と、再生手段としてのダウンミックス演算部３０と、Ｄ／Ａコンバータ３１と、出力アンプ３２と、により構成されている。
【０１３４】
次に、概要動作を説明する。
【０１３５】
先ず、物理層解読部２７は、シリアルバスＢを介してＤＶＤプレーヤＤＶから伝送されてくる伝送信号Ｓieを受信し、当該伝送信号Ｓie内に含まれている各アイソクロナスパケットＩＰの物理層の内容をシリアルバス規格に準拠して解読し、上記リンク信号Ｓlkを生成してリンク層解読部２８へ出力する。
【０１３６】
次に、リンク層解読部２８は、シリアルバス規格に準拠してリンク信号Ｓlk内に含まれている各アイソクロナスパケットＩＰのリンク層の内容を解読し、リンク解読信号Ｓpuを生成してパケット判読部９へ出力する。
【０１３７】
そして、パケット判読部９は、リンク解読信号Ｓpuに含まれている各アイソクロナスパケットＩＰのパケット化を解くと共にその内容を判読し、上記合成係数以外のダウンミックス処理に必要な種々の情報をダウンミックス情報信号ＳetcとしてＣＰＵ２５へ出力すると共に、判読した上記オーディオデータＳadをダウンミックス演算部３０へ出力する。
【０１３８】
これと並行して、第１実施形態並びに後述する第２及び第３実施形態においては、上記合成係数を複数組含んで伝送信号Ｓieに含まれて伝送されてきた複数の合成係数テーブル並びに当該各合成係数テーブルと当該各合成係数テーブルが用いてダウンミックス処理されるべきオーディオデータＳadとの関係を示す後述する対応情報としてのテーブルパリティデータ（以下、単にＴＰデータと称する。）は、パケット判読部２９からテーブル信号ＳisoとしてＣＰＵ２５へ出力される。
【０１３９】
また、後述する第４乃至第６実施形態においては、上記各合成係数テーブル並びにＴＰデータは、リンク層解読部２８からテーブル信号ＳfcpとしてＣＰＵ２５へ出力される。
【０１４０】
これらにより、ＣＰＵ２５は、テーブル信号Ｓiso又はＳfcpとして入力されている各合成係数テーブル自体をテーブル信号Ｓctgとしてメモリ２６に記憶させる。
【０１４１】
そして、図示しない操作部からアンプＡＰにおいてダウンミックス処理すべきことを示す指示信号Ｓurが入力されると、当該指示信号Ｓurに基づいて、ダウンミックス演算部３０におけるダウンミックス処理の開始を制御する制御信号Ｓdmを当該ダウンミックス演算部３０へ出力すると共に、メモリ２６に記憶させている合成係数テーブルのうち実際にダウンミックス処理に用いられる合成係数テーブルを示すテーブル番号情報Ｓnoをメモリ２６に出力する。
【０１４２】
これにより、メモリ２６は、テーブル番号情報Ｓnoにより示されている番号に相当する合成係数テーブルを、記憶している各合成係数テーブルから抽出し、合成係数信号Ｓctとしてダウンミックス演算部３０へ出力する。
【０１４３】
そして、ダウンミックス演算部３０は、オーディオデータＳadに対してダウンミックス処理を施すべきことがＣＰＵ２５を介して制御信号Ｓdmとして使用者から指示されると、上記合成係数信号Ｓctとして入力されている合成係数を用いて当該オーディオデータＳadに対してダウンミックス処理を施し、２チャンネルにダウンミックスされたオーディオデータＳadを含む出力信号Ｓoutを生成してＤ／Ａコンバータ３１に出力する。
【０１４４】
一方、当該ダウンミックス処理を行うべき指示が成されていないときは、入力されたオーディオデータＳadをそのまま出力信号ＳoutとしてＤ／Ａコンバータ３１に出力する。
【０１４５】
これにより、Ｄ／Ａコンバータ３１は、入力されている出力信号Ｓoutをアナログ化し、アナログ出力信号Ｓaoとして出力アンプに出力する。
【０１４６】
最後に、出力アンプ３２は、当該アナログ出力信号Ｓaoに含まれている各チャンネル毎のオーディオデータＳadに対して増幅等の予め設定された処理を施し、オーディオ出力として図示しないスピーカ等に出力する。
【０１４７】
次に、上述した構成を有するＤＶＤプレーヤＤＶ及びアンプＡＰ間で実行される第１実施形態に係るオーディオデータＳad及び合成係数テーブル等の伝送処理について、図１０及び図１１を用いて説明する。
【０１４８】
なお、図１０は当該伝送処理を示すフローチャートであり、図１１は第１実施形態の処理においてＤＶＤプレーヤＤＶにおいて形成されるデータブロックの構成を夫々示す図である。
【０１４９】
図１０に示すように、第１実施形態のオーディオデータＳad及び合成係数テーブル等の伝送処理においては、先ず、ＤＶＤプレーヤＤＶ及びアンプＡＰの夫々において、電源投入（ステップＳ１及びＳ１５）及び相互の認識（ステップＳ２及びＳ１６）が実行される。このとき、相互認識に必要な情報の授受は上記アシンクロナス伝送領域ＡＣＴ内のデータパケットＤＰ又はアクロリッジパケットＡＣＰを用いて実行される。
【０１５０】
そして、互いが認識できないときは（ステップＳ２；Ｎ及びＳ１６；Ｎ）夫々が認識できるまで認識処理を繰り返し、認識できたときは（ステップＳ２；Ｙ及びＳ１６；Ｙ）、次に、再生準備完了コマンド（すなわち、アンプＡＰにおいてシリアルバスＢを介した合成係数テーブルの受信が可能であり、当該合成係数テーブルの送信を促す旨の再生準備完了コマンド）ＳＣをアシンクロナス領域ＡＣＴ内の上記データパケットＤＰに格納してアンプＡＰからＤＶＤプレーヤＤＶに送信する（ステップＳ１７）。
【０１５１】
次に、当該再生準備完了コマンドＳＣを受信した（ステップＳ３）ＤＶＤプレーヤＤＶは、当該再生準備完了コマンドＳＣに対応するウエイト（待機）コマンド（すなわち、合成係数テーブルをＤＶＤオーディオディスク２００から再生するまでアンプＡＰを待機させるためのウエイトコマンド）ＷＣを上記データパケットＤＰに格納してアンプＡＰに出力し（ステップＳ４）、当該ウエイトコマンドＷＣを受信した（ステップＳ１８）アンプＡＰは上記合成係数テーブルＣＴを受信するまで待機する。
【０１５２】
次に、ＤＶＤプレーヤＤＶにおいて、ＤＶＤオーディオディスク２００からのオーディオデータＳad等の再生処理を開始する（ステップＳ５）と共に、当該ＤＶＤプレーヤＤＶから、後ほど伝送する合成係数テーブルと当該伝送される合成係数テーブルを用いてダウンミックス処理されるべきオーディオデータＳadとの関係を示す上記ＴＰデータのうち、後続する合成係数テーブルＣＴを示すＴＰデータＴＰＤをデータ「１」としてアイソクロナスパケットＩＰ内の上記データブロックＤＢに格納してアンプＡＰに送信し（ステップＳ６）、当該アンプＡＰにおいてこれを受信すると共にそれまでにアンプＡＰ内に設定・記憶されているＴＰデータＴＰＤの値（電源投入直後においては「０」とされている。）を「１」に更新する（ステップＳ１９）。なお、このときに伝送されるＴＰデータＴＰＤは、アンプＡＰに対して当該アンプＡＰにおいて設定されているＴＰデータが今後変化することを認識させるために伝送されるものである。
【０１５３】
ここで、当該伝送されるＴＰデータＴＰＤを含むデータブロックＤＢ０の具体的構成について図１１（ａ）を用いて説明すると、先ず、その第１列目乃至第６列目は、夫々の列内で後続するデータが全てゼロ（「０」）データであることを示すラベルＬＢ１乃至ＬＢ６（夫々８ビット）を先頭としてゼロデータＺＲ（夫々２４ビット）により占められている。
【０１５４】
更に、第７列目には、当該第７列目内で後続する各データの属性を示すラベルＬＢ７（８ビット）を先頭として、上記出力制御データのうち全てのアイソクロナスパケットＩＰに格納して伝送すべき出力制御データである第１出力制御データ（２４ビット）が含まれている。
【０１５５】
ここで、当該ラベルＬＢ７は、上記ラベルＬＢ１乃至ＬＢ６とは異なる８ビットの値を有し、後続する２４ビットのデータが上記第１出力制御データであることを示している。
【０１５６】
更に、当該第１出力制御データとして具体的には、後続するデータが第１出力制御データであることを示すアドレスデータＡＲ（例えば、８ビットの値で「０００００００１」を有している。）と、伝送後におけるオーディオデータＳadの再生時のダイナミックレンジを制御するためのダイナミックレンジ制御データＤＲＣ（８ビット）と、ダウンミックス処理に用いられる合成係数テーブルの番号を示すダウンミックスコードデータＤＭＣ（４ビット）と、オーディオデータＳadに対していわゆるエンファシス処理が行われているか否かを示すエンファシスフラグＥＦ（１ビット）と、当該再生時にオーディオ情報をダウンミックスすることが許可されているか否かを示すダウンミックスモードデータＤＭＭ（１ビット）と、上記ダウンミックスコードデータＤＭＣが実際に値を有するか否かを示すダウンミックスコード識別データＤＭＣＶ（１ビット）と、予備データＲＤ（１ビット）と、が含まれている。
【０１５７】
次に、第８列目には、当該第８列目内で後続する各データの属性を示すラベルＬＢ８（８ビット）を先頭として、上述した出力制御データのうち伝送後の再生時におけるサンプリング周波数の変更時等の必要な場合のみにアイソクロナスパケットＩＰに格納して伝送すべき出力制御データである第２出力制御データ（２４ビット）が含まれている。
【０１５８】
ここで、当該ラベルＬＢ８は、ラベルＬＢ１乃至ＬＢ７とは異なる８ビットの値を有し、後続する２４ビットのデータが上記第１出力制御データでもなくまたオーディオデータＡＤ１乃至ＡＤ６でもないことを示している。
【０１５９】
更に、当該第２出力制御データとして具体的には、後続するデータが第２出力制御データのうちのＴＰデータＴＰＤであることを示すアドレスデータＡＲ（例えば、８ビットの値で「００００００１１」を有している。）と、上記ＴＰデータＴＰＤ（１ビット）と、ゼロデータＺＲ（７ビット）と、が含まれている。
【０１６０】
ＴＰデータＴＰＤの送受信が完了すると、次に、ＤＶＤプレーヤＤＶにおいてＤＶＤオーディオディスク２００内の上記ＡＴＳＩ２１１に含まれている上記合成係数テーブルＣＴを当該ＤＶＤオーディオディスク２００から読み込む（ステップＳ７）。そして、読み込んだ合成係数テーブルＣＴを示すＴＰデータＴＰＤ（その値は「１」である。）を図１１（ａ）に示す態様のデータブロックＤＢに格納して再度伝送してアンプＡＰに一時的に格納した後、当該合成係数テーブルＣＴをデータブロックＤＢ内に格納してアンプＡＰに送信し（ステップＳ８）、これをアンプＡＰにおいて受信する（ステップＳ２０）。
【０１６１】
このとき、当該合成係数テーブルＣＴを含むデータブロックＤＢ１の具体的構成としては、図１１（ｂ）に示すように、先ず、その第１列目乃至第７列目については夫々上記したＴＰデータＴＰＤを含む場合のデータブロックＤＢと同様の構成とされ、次に、第８列目については、上記ラベルＬＢ８（８ビット）を先頭として、後続するデータが合成係数テーブルＣＴであることを示すアドレスデータＡＲ（例えば、８ビットの値で「０００００１００」を有している。）と、当該合成係数テーブルＣＴ（１６ビット）と、が含まれている。
【０１６２】
なお、一の合成係数テーブルＣＴとして伝送されるデータのデータ量は、複数の合成係数テーブルＣＴ分を含んで合計２８８バイトあることが規格化されているので、ステップＳ８及びＳ２０の処理は、図１１（ｂ）に示すデータブロックＤＢを１４４回（２８８バイト／１６ビット）伝送するまで繰り返されることとなる。
【０１６３】
そして、アンプＡＰにおいて合成係数テーブルＣＴが全て受信されると、当該受信した合成係数テーブルＣＴを用いたダウンミックス処理を伴う再生開始準備が完了した旨の再生ＯＫコマンドＰＯをＤＶＤプレーヤＤＶに出力し（ステップＳ２１）、これを当該ＤＶＤプレーヤＤＶにおいて受信し（ステップＳ９）、その後、ダウンミックス処理すべきオーディオデータＳad自体及び当該オーディオデータＳadを示すＴＰデータＴＰＡ（当該オーディオデータＳadと同じデータブロックＤＢ内に格納されて同時に送信される。）を含むデータブロックＤＢを形成してアンプＡＰに送信し（ステップＳ１０）、これをアンプＡＰにおいて受信する（ステップＳ２２）。
【０１６４】
ここで、当該伝送されるオーディオデータＳad及びＴＰデータＴＰＡを含むデータブロックＤＢ２の具体的構成について図１１（ｃ）を用いて説明すると、先ず、その第１列目乃至第６列目は、夫々にラベルＬＢ１乃至ＬＢ６（夫々８ビット）を先頭として実際のオーディオデータＳad（オーディオサンプリング情報）であるオーディオデータＡＤ１乃至ＡＤ６（夫々２４ビット）により占められている。ここで、各オーディオデータＡＤ１乃至ＡＤ６は、夫々に第１チャンネル乃至第６チャンネルのオーディオデータＳadに対応している。また、各ラベルＬＢ１乃至ＬＢ６には夫々に後続するオーディオデータＡＤ１乃至ＡＤ６の属性（具体的には、チャンネル番号等）を示す情報が含まれている。
【０１６５】
更に、第７列目については上記したＴＰデータＴＰＤを含む場合のデータブロックＤＢ（図１１（ａ）参照）と同様の構成とされ、次に、第８列目については、当該第８列目内で後続する各データの属性を示すラベルＬＢ８（８ビット）を先頭として、上記第２出力制御データ（２４ビット）が含まれている。
【０１６６】
このとき、当該第２出力制御データとして具体的には、後続するデータが第２出力制御データであることを示すアドレスデータＡＲ（例えば、８ビットの値で「００００００１０」を有している。）と、サラウンド再生における予め設定されたチャンネルグループ（例えば、後方再生に用いられるチャンネルグループ）の伝送後再生時のサンプリング周波数を指定するためのサンプリング周波数データＦＳ２（４ビット）と、オーディオデータＳadにおけるチャンネル形式を示すチャンネル形式データＭＣＴ（４ビット）と、伝送後再生時のチャンネル配分（各オーディオデータＳadにおけるチャンネル配分）を示すチャンネル配分データＣＡ（５ビット）と、同じデータブロックＤＢ内に格納されて同時に送信されるオーディオデータＳadを示すＴＰデータＴＰＡ（１ビット。その値は「１」とされている。）と、予備データＲＤ（２ビット）と、が含まれている。
【０１６７】
そして、ＤＶＤプレーヤＤＶにおいては、次に、必要なオーディオデータＳadを全て送信し終わったか否かを確認し（ステップＳ１１）、終了しているときは（ステップＳ１１；Ｙ）そのまま再生処理を終了し、一方、終了していないときは（ステップＳ１１；Ｎ）、ステップＳ１２を介してステップＳ６に戻り、全てのオーディオデータＳadの送信が完了するまで上記したステップＳ６乃至Ｓ１２の処理を繰り返す。
【０１６８】
他方、ＴＰデータＴＰＡと共にオーディオデータＳadを受信したアンプＡＰにおいては、ステップＳ２２において受信したＴＰデータＴＰＡの値とステップＳ２０において合成係数テーブルＣＴと共に伝送されたＴＰデータＴＰＤの値とを比較し（ステップＳ２３）、一致していれば（ステップＳ２３；Ｙ）、夫々のステップにおいて受信した合成係数テーブルＣＴとオーディオデータＳapとが相互に対応関係にあるものであると判定し、その合成係数テーブルＣＴを用いてダウンミックス演算部３０において当該オーディオデータＳapに対してダウンミックス処理を施して再生し（ステップＳ２５）、その後全てのオーディオデータＳadの再生が終了したか否かが判定され（ステップＳ２６）、終了しているときは（ステップＳ２６；Ｙ）そのまま処理を終了し、終了していないときは（ステップＳ２６；Ｎ）、ステップＳ２２に戻って再生が終了するまで上記したステップＳ２２乃至Ｓ２６の処理を繰り返す。
【０１６９】
一方、ステップＳ２３の判定において、ステップＳ２２及びＳ８において夫々受信したＴＰデータＴＰＡの値とＴＰデータＴＰＤの値とが一致していないときは（ステップＳ２３；Ｎ）、受信した合成係数テーブルＣＴとオーディオデータＳapとは対応関係にないと判定し、新たな合成係数テーブルＣＴを伝送することを要求する伝送要求コマンドＴＡをＤＶＤプレーヤＤＶに送信した後（ステップＳ２４）、ステップＳ１９に移行して当該新たな合成係数テーブルＣＴが送信されてくるのを待機する。
【０１７０】
これにより、当該伝送要求コマンドＴＡを受信した（ステップＳ１２）ＤＶＤプレーヤＤＶは、ステップＳ６に戻って新たなＴＰデータＴＰＤの送信及び新たな合成係数テーブルＣＴの読み込みを実行し、以下上述したステップＳ８乃至Ｓ１２の処理を繰り返す。
【０１７１】
なお、上記した第１実施形態の伝送処理において、図１１に夫々示すデータブロックＤＢ０乃至ＤＢ２は一のアイソクロナスパケットＩＣ内に全て含まれている必要は必ずしもなく、夫々のデータブロックの間に他のデータを含むデータブロックＤＢが伝送されてもよい。
【０１７２】
これは、アンプＡＰにおいては、図１１（ａ）に示すデータブロックＤＢ０が伝送された後に最初に図１１（ｂ）に示す形態のデータブロックＤＢ１が伝送されてくると、当該データブロックＤＢ１に含まれている合成係数テーブルＣＴが当該データブロックＤＢ０により伝送されたＴＰデータＴＰＤに対応するものであると無条件に認識し、一方、図１１（ｂ）に示すデータブロックＤＢ１が伝送された後に最初に図１１（ｃ）に示す形態のデータブロックＤＢ２が伝送されてくると、当該データブロックＤＢ２に含まれているＴＰデータＴＰＡ（同時に伝送されるオーディオデータＳadに対応づけられているＴＰデータＴＰＡ）が当該データブロックＤＢ１により伝送された合成係数テーブルＣＴに対応するものであると無条件に認識することがＣＰＵ２５における処理上予め設定されていることによる。
【０１７３】
以上説明したように、第１実施形態におけるオーディオデータＳad等の伝送処理によれば、オーディオデータＳad、合成係数テーブルＣＴ或いはＴＰデータＴＰＤ又はＴＰＡのうち少なくともいずれか一つを含んでアイソクロナスパケットＩＣを形成しシリアルバスＢ上に出力するので、当該オーディオデータＳad等をアンプＡＰが受け取った場合に、ＴＰデータＴＰＤ又はＴＰＡを用いて合成係数テーブルＣＴとオーディオデータＳadとを対応づけることにより当該オーディオデータＳadのダウンミックス処理が可能となり、一のアイソクロナスパケットＩＣの中に含ませることができない情報量（２８８バイト）を有する合成係数テーブルＣＴであっても正確にこれを活用してオーディオデータＳadのダウンミックス処理を行うことができる。
【０１７４】
また、合成係数テーブルＣＴがアイソクロナスパケットＩＣ内に格納されて当該シリアルバスＢ上に出力されているので、簡易な処理で合成係数テーブルＣＴを伝送することができる。
【０１７５】
更に、シリアルバス規格の下で接続されているＤＶＤプレーヤＤＶとアンプＡＰ間で合成係数テーブルＣＴを確実に伝送することができる。
【０１７６】
なお、図１０に示した第１実施形態に係る伝送処理のうち、ステップＳ３、Ｓ１７、Ｓ４、Ｓ１８、Ｓ９及びＳ２１の処理が必要となるのは、ＤＶＤプレーヤＤＶがシリアルバスＢ上に接続されている他のパーソナルコンピュータＰＣによって制御されている場合のみであり、当該ＤＶＤプレーヤＤＶにおける入力部１２により当該ＤＶＤプレーヤＤＶを制御してダウンミックス処理を行う場合（すなわち、ＤＶＤプレーヤＤＶの処理の進行状況とアンプＡＰにおける処理の進行状況とを使用者が把握しながら伝送処理を行う場合）には、当該ステップＳ３、Ｓ１７、Ｓ４、Ｓ１８、Ｓ９及びＳ２１の処理は行っても行わなくてもいずれでも構わない。
【０１７７】
また、図１１に示したデータブロックＤＢの構成のうち、その第８列目については、上述した第２出力制御データを伝送しない場合には、アドレスデータＡＲの値を第２出力制御データを伝送する場合とは異なる値（例えば、「０００００００１」）とすることによって、例えば文字データ等の任意データを伝送するように構成することもできる。
【０１７８】
（III）第２実施形態
次に、本発明に係る他の実施形態である第２実施形態について、図１１及び図１２を用いて説明する。
【０１７９】
なお、図１２は第２実施形態に係るオーディオデータＳad及び合成係数テーブル等の伝送処理を示すフローチャートである。
【０１８０】
上述した第１実施形態では、ＤＶＤプレーヤＤＶ及びアンプＡＰの双方について電源が断とされていた状態からオーディオデータＳadの伝送を開始する場合について説明したが、第２実施形態においては、上記合成係数テーブルＣＴがＡＴＳ２０３毎に変化することに鑑み、一のＡＴＳ２０３内に含まれているオーディオデータＳadのダウンミックス処理を伴う再生が終了し、次のＡＴＳ２０３内のオーディオデータＳadの再生に移行する際の合成係数テーブルＣＴの更新処理を伴うオーディオデータＳadの再生処理を行う。
【０１８１】
なお、第２実施形態におけるＤＶＤプレーヤＤＶ及びアンプＡＰの構成は、共に第１実施形態の場合と全く同様であるので、細部の説明は省略する。また、図１２に示す伝送処理において、上述した第１実施形態における伝送処理と同様の処理については、同様のステップ番号を付して細部の説明は省略する。
【０１８２】
図１２に示すように、第２実施形態のオーディオデータＳadの伝送処理においては、ＤＶＤプレーヤＤＶ及びアンプＡＰの夫々において、第１実施形態の伝送処理により伝送を開始した合成係数テーブルＣＴを用いたダウンミックス処理が継続されていることが前提となる（ステップＳ３０及びＳ４０）。
【０１８３】
そして、当該再生中においては、ＤＶＤプレーヤＤＶにおいて一のＡＴＳ２０３内に含まれているオーディオデータＳadの再生が全て終了したか否かが常に監視されている（ステップＳ３１）。そして、当該一のＡＴＳ２０３内に含まれているオーディオデータＳadの再生が終了していないときは（ステップＳ３１；Ｎ）、当該再生が終了するまで第１実施形態の態様でダウンミックス処理を伴う再生を継続し、一方、当該再生が終了しているときは（ステップＳ３１；Ｙ）、アンプＡＰにおけるダウンミックス処理を伴う再生も終了し（ステップＳ４１）、次に再生すべきオーディオデータＳadを含んでいるＡＴＳ２０３の先頭を検索する（ステップＳ３２）。
【０１８４】
そして、当該再生すべきＡＴＳ２０３が検索できたら、次に、ＤＶＤプレーヤＤＶから、アンプＡＰ内に現在設定されているＴＰデータＴＰＤ（第１実施形態からの継続として第２実施形態を見た場合には、当該ＴＰデータＴＰＤは「１」となっている。）を反転すべく（すなわち、新たな合成係数テーブルＣＴがこれから送信されることをアンプＡＰに認識させるべく）、新たなＴＰデータＴＰＤをデータ「０」としてデータブロックＤＢに格納してアンプＡＰに送信し（ステップＳ３３）、アンプＡＰにおいてこれを受信すると共にそれまでに設定・記憶されているＴＰデータＴＰＤの値（「１」）を「０」に更新する（ステップＳ４２）。
【０１８５】
ここで、当該伝送されるＴＰデータＴＰＤを含むデータブロックＤＢ０の具体的構成については図１１（ａ）に示す場合と全く同様となる。
【０１８６】
新たなＴＰデータＴＰＤの送受信が完了すると、次に、ＤＶＤプレーヤＤＶにおいて上記合成係数テーブルＣＴをＤＶＤオーディオディスク２００から読み込む（ステップＳ３４）。そして、読み込んだ合成係数テーブルＣＴを示すＴＰデータＴＰＤ（その値は「０」である。）を図１１（ａ）に示す態様で再度伝送してアンプＡＰに一時的に格納した後、当該合成係数テーブルＣＴをデータブロックＤＢ内に格納してアンプＡＰに送信し（ステップＳ３５）、これをアンプＡＰにおいて受信する（ステップＳ４３）。
【０１８７】
このとき、当該合成係数テーブルＣＴを含むデータブロックＤＢ１の具体的構成としては、図１１（ｂ）に示す場合と全く同様となる。
【０１８８】
そして、アンプＡＰにおいて合成係数テーブルＣＴが全て受信されると、第１実施形態の場合と同様の再生ＯＫコマンドＰＯをＤＶＤプレーヤＤＶに出力し（ステップＳ４４）、これを当該ＤＶＤプレーヤＤＶにおいて受信し（ステップＳ３６）、その後、ダウンミックス処理すべきオーディオデータＳadを含むデータブロックＤＢを形成して対応するＴＰデータＴＰＡ（その値は「０」である。）と共にアンプＡＰに送信し（ステップＳ３７）、これをアンプＡＰにおいて受信する（ステップＳ４５）。
【０１８９】
ここで、当該伝送されるオーディオデータＳad及びＴＰデータＴＰＡを含むデータブロックＤＢ２の具体的構成としては、図１１（ｃ）に示す場合と全く同様となる。
【０１９０】
そして、これ以後は、上述した第１実施形態と同様の処理が、ＤＶＤプレーヤＤＶ（ステップＳ１１乃至Ｓ１２）及びアンプＡＰ（ステップＳ２３乃至Ｓ２６）が実行されて処理が終了する。
【０１９１】
ここで、第２実施形態中のステップＳ３３において伝送されるＴＰデータＴＰＤの値については、それまでにアンプＡＰ内に設定・記憶されているＴＰデータＴＰＤの値が「０」であるときはこれを反転させるべく値「１」を有するＴＰデータＴＰＤがステップＳ３３において伝送され、一方、それまでにアンプＡＰ内に設定・記憶されているＴＰデータＴＰＤの値が「１」であるときはこれを反転させるべく値「０」を有するＴＰデータＴＰＤがステップＳ３３において伝送される。そして、以後のステップＳ３５において伝送されるＴＰデータＴＰＤ及びステップＳ３７において伝送されるＴＰデータＴＰＡの値は、このステップＳ３３において伝送されたＴＰデータＴＰＤの値と同じものとされる。
【０１９２】
以上説明した第２実施形態の伝送処理によれば、ＡＴＳ２０３が切り換る度にＴＰデータＴＰＤ及びＴＰＡの値を「０」又は「１」の間で相互に反転させつつ合成係数テーブルＣＴ及びオーディオデータＳadに付加して伝送するので、ＡＴＳ２０３が切り換った場合にダウンミックス処理を伴う再生を継続する場合にも、上述した第１実施形態の伝送処理と同様の効果を奏することができる。
【０１９３】
（IV）第３実施形態
次に、本発明に係る他の実施形態である第３実施形態について、図１３及び図１４を用いて説明する。
【０１９４】
なお、図１３は第３実施形態に係るオーディオデータＳadの伝送処理を示すフローチャートであり、図１４は第３実施形態の処理においてＤＶＤプレーヤＤＶにおいて形成されるデータブロックＤＢの構成を夫々示す図である。
【０１９５】
上述した第１実施形態では、ＤＶＤプレーヤＤＶ及びアンプＡＰの双方について電源が断とされていた状態からオーディオデータＳadの伝送を開始する場合について説明し、更に第２実施形態では、ＤＶＤプレーヤＤＶにおけるオーディオデータＳadの再生においてＡＴＳ２０３が切り換った直後におけるダウンミックス処理を伴う再生について説明したが、第３実施形態においては、既にＤＶＤプレーヤＤＶからアンプＡＰへの合成係数テーブルＣＴの伝送が開始されている場合において、シリアルバスＢに接続されている他のアンプＡＰにおける入力選択がＤＶＤプレーヤＤＶに切り換えられたとき、又はシリアルバスＢに新たに他のアンプＡＰが接続されたとき（すなわち、上記バスリセットが発生したとき）等に、当該他のアンプＡＰにおいてダウンミックス処理を伴うオーディオデータＳadの再生処理を開始する。
【０１９６】
なお、第３実施形態におけるＤＶＤプレーヤＤＶ及び他のアンプＡＰの構成は、共に第１又は第２実施形態のＤＶＤプレーヤＤＶ及びアンプＡＰの構成と全く同様であるので、細部の説明は省略する。また、図１３に示す伝送処理において、上述した第１実施形態における伝送処理と同様の処理については、同様のステップ番号を付して細部の説明は省略する。
【０１９７】
図１３に示すように、第３実施形態のオーディオデータＳadの伝送処理においては、先ず、ＤＶＤプレーヤＤＶにおいては今までの再生処理が継続されている（ステップＳ５０）と共に、他のアンプＡＰにおいて上記入力切り換えが行われ（ステップＳ６０）、当該入力切り換えに伴ってＤＶＤプレーヤＤＶ及びアンプＡＰにおいて相互の認識（ステップＳ５１及びＳ６１）が実行される。このとき、相互認識に必要な情報の授受は上記アシンクロナス伝送領域ＡＣＴ内のデータパケットＤＰ及びアクノリッジパケットＡＣＰを用いて実行される。
【０１９８】
そして、互いが認識できないときは（ステップＳ５１；Ｎ及びＳ６１；Ｎ）夫々が認識できるまで認識処理を繰り返し、認識できたときは（ステップＳ５１；Ｙ及びＳ６１；Ｙ）、次に、第１実施形態と同様の再生準備完了コマンドＳＣを上記データパケットＤＰに格納して他のアンプＡＰからＤＶＤプレーヤＤＶに送信する（ステップＳ６２）。
【０１９９】
次に、当該再生準備完了コマンドＳＣを受信した（ステップＳ５２）ＤＶＤプレーヤＤＶから、現在継続されている（ステップＳ５０参照）ダウンミックス処理を伴う再生処理において用いられている値（「０」又は「１」）を有するＴＰデータＴＰＤを、現在再生されているオーディオデータＳadを含む上記データブロックＤＢに格納してアンプＡＰに送信し（ステップＳ５３）、当該他のアンプＡＰにおいてこれを受信すると共に初期状態のＴＰデータＴＰＤの値（入力切り換え直後においては「０」とされている。）を当該受信したＴＰデータＴＰＤの値に更新する（ステップＳ６３）。
【０２００】
ここで、当該伝送されるＴＰデータＴＰＤを含むデータブロックＤＢ０の具体的構成について図１４（ａ）を用いて説明すると、当該データブロックＤＢ０’の構成は、その第１列目乃至第６列目が夫々にラベルＬＢ１乃至ＬＢ６（夫々８ビット）を先頭として再生されているオーディオデータＳadであるオーディオデータＡＤ１乃至ＡＤ６（夫々２４ビット）により占められている以外は図１１（ａ）に示す場合と全く同様となる。
【０２０１】
ＴＰデータＴＰＤの送受信が完了すると、次に、ＤＶＤプレーヤＤＶから、現在再生しているオーディオデータＳadが含まれているデータブロックＤＢに、現在使用されている合成係数テーブルＣＴ（ステップＳ５０における再生処理において既にＤＶＤオーディオディスク２００から読み込まれており、ＤＶＤプレーヤＤＶ内のＲＡＭ１１に記憶されているものである。）を示すＴＰデータＴＰＤ（その値はステップＳ５３において伝送したものの値と同一である。）を図１４（ａ）に示す態様のデータブロックＤＢに格納して再度伝送して他のアンプＡＰに一時的に格納した後、当該使用されている合成係数テーブルＣＴをデータブロックＤＢ内に格納してアンプＡＰに送信し（ステップＳ５４）、これを他のアンプＡＰにおいて受信する（ステップＳ６４）。
【０２０２】
このとき、当該合成係数テーブルＣＴを含むデータブロックＤＢ１’の具体的構成としては、図１４（ｂ）に示すように、その第１列目乃至第６列目が夫々にラベルＬＢ１乃至ＬＢ６（夫々８ビット）を先頭として再生中のオーディオデータＳadであるオーディオデータＡＤ１乃至ＡＤ６（夫々２４ビット）により占められている以外は図１１（ｂ）に示す場合と全く同様となる。
【０２０３】
そして、他のアンプＡＰにおいて合成係数テーブルＣＴが全て受信されると、確認のため現在使用されている値を有するＴＰデータＴＰＤを、現在再生されているオーディオデータＳadを含む上記データブロックＤＢに格納して他のアンプＡＰに再度送信し（ステップＳ５５）、当該他のアンプＡＰにおいてこれを受信する（ステップＳ６５）。
【０２０４】
その後、ダウンミックス処理すべきオーディオデータＳad自体（現在再生が継続されているもの）及び当該オーディオデータＳadを示すＴＰデータＴＰＡ（その値はステップＳ５３及びＳ５４において伝送したものの値と同一である。）を含むデータブロックＤＢを形成して他のアンプＡＰに送信し（ステップＳ５６）、これを他のアンプＡＰにおいて受信する（ステップＳ６６）。
【０２０５】
ここで、当該伝送されるオーディオデータＳad及びＴＰデータＴＰＡを含むデータブロックＤＢ２の具体的構成としては、図１４（ｃ）に示すように図１１（ｃ）に示す場合と全く同様となる。
【０２０６】
そして、これ以後は、上述した第１又は第２実施形態と同様の処理が、ＤＶＤプレーヤＤＶ（ステップＳ１１乃至Ｓ１２）及び他のアンプＡＰ（ステップＳ２３乃至Ｓ２６）において実行されて再生処理が終了する。
【０２０７】
以上説明した第３実施形態の伝送処理によれば、既にＤＶＤプレーヤＤＶからアンプＡＰへの合成係数テーブルＣＴの伝送が開始されている場合において、他のアンプＡＰにおける入力選択切り換え又は新たな他のアンプＡＰの接続が為された場合でも、上述した第１又は第２実施形態の伝送処理と同様の効果を奏することができる。
【０２０８】
（Ｖ）第４実施形態
次に、本発明に係る他の実施形態である第４実施形態について、図１５及び図１６を用いて説明する。
【０２０９】
なお、図１５は第４実施形態に係るオーディオデータＳadの伝送処理を示すフローチャートであり、図１６は第４実施形態の処理においてＤＶＤプレーヤＤＶにおいて形成されるアシンクロナス伝送領域ＡＣＴ内のデータパケットＤＰの構成を示す図である。また、図１５に示す伝送処理において、上述した第１実施形態における伝送処理と同様の処理については、同様のステップ番号を付して細部の説明は省略する。
【０２１０】
上述した第１乃至第３実施形態においては、合成係数テーブルＣＴはアイソクロナスパケットＩＰ内のデータブロックＤＢに格納されて伝送されたが、以下の第４乃至第６実施形態においては、これをアシンクロナス伝送領域ＡＣＴ内のデータパケットＤＰに格納して伝送する。
【０２１１】
そして、第４実施形態は、このうちＤＶＤプレーヤＤＶ及びアンプＡＰの双方について電源が断とされていた状態からオーディオデータＳadの伝送を開始する場合の実施形態である。
【０２１２】
なお、第４乃至第６実施形態におけるＤＶＤプレーヤＤＶ及びアンプＡＰの構成は、共に第１乃至第３実施形態の場合と全く同様であるので、細部の説明は省略する。
【０２１３】
第４実施形態のオーディオデータＳadの伝送処理においては、図１５に示すように、始めに、ＤＶＤプレーヤＤＶ及びアンプＡＰにおいて、第１実施形態の場合と同様の各コマンドの授受（ステップＳ１乃至Ｓ４及びＳ１５乃至Ｓ１８）が実行された後、ＤＶＤプレーヤＤＶにおいて、オーディオデータＳad等の再生処理が開始され（ステップＳ５）、更に再生されているオーディオデータＳadに対応させるべき合成係数テーブルＣＴがＤＶＤオーディオディスク２００から読み込まれる（ステップＳ７）。
【０２１４】
次に、ＤＶＤプレーヤＤＶから、当該読み込まれた合成係数テーブルＣＴを示すＴＰデータＴＰＤをデータ「１」として上記データブロックＤＢに格納してアンプＡＰに送信し（ステップＳ７１）、当該アンプＡＰにおいてこれを受信すると共にそれまでにアンプＡＰ内において設定・記憶されているＴＰデータＴＰＤの値（電源投入直後においては「０」とされている。）を「１」に更新する（ステップＳ７６）。なお、このときに伝送されるＴＰデータＴＰＤは、アンプＡＰに対して当該アンプＡＰにおいて設定されているＴＰデータが今後変化することを認識させるために伝送されるものである。
【０２１５】
ここで、当該伝送されるＴＰデータＴＰＤを含むデータブロックＤＢ０の具体的構成については図１１（ａ）に示す場合と全く同様となる。
【０２１６】
ＴＰデータＴＰＤの送受信が完了すると、次に、上記再生準備完了コマンドＳＣをアシンクロナス領域ＡＣＴ内の上記データパケットＤＰに格納してアンプＡＰからＤＶＤプレーヤＤＶに再度送信する（ステップＳ７７）。
【０２１７】
そして、当該再生準備完了コマンドＳＣを受信した（ステップＳ７２）ＤＶＤプレーヤＤＶは、読み込んだ（ステップＳ７０参照）合成係数テーブルＣＴを示すＴＰデータＴＰＤ（その値は「１」である。）と共に当該合成係数テーブルＣＴをデータパケットＤＰ内に格納してアンプＡＰに送信し（ステップＳ７３）、これをアンプＡＰにおいて受信する（ステップＳ７８）。
【０２１８】
このとき、当該ＴＰデータＴＰＤ及び合成係数テーブルＣＴを含むデータパケットＤＰの具体的構成としては、図１６に示すように、その第１列目には、オーディオデータＳadの送信先のノード（第４実施形態の場合はアンプＡＰ）を識別するための送信先ノード識別子ＤＩ（１６ビット）と、複数のデータパケットＤＰ間の照合に用いられるトランザクションラベルＴＬ（６ビット）と、データを再送させる場合のその方法を示すリトライコードＲＴ（２ビット）と、データパケットＤＰの種類とその伝送方式を示すトランザクションコードＴＤ（８ビット）と、伝送の優先順位を示すプライオリティコードＰＲ（８ビット）と、が格納されて伝送される。
【０２１９】
また、第２乃至第３列目には、オーディオデータＳadの送信元のノード（第４実施形態の場合はＤＶＤプレーヤＤＶ）を識別するための送信元ノード識別子ＳＩ（１６ビット）と、アシンクロナス伝送領域ＡＣＴにおいて伝送されるべき他のコマンドやその返答が含まれるコマンド領域ＦＣＰ（１列半分２４ビット）と、が格納されて伝送される。
【０２２０】
次に、第４列目には、データパケットＤＰのデータ長を示すデータ長情報ＤＬ（１６ビット）と、データパケットＤＰの種類と拡張されたその伝送方式を示す拡張トランザクションコードＥＴＤ（１６ビット）と、が格納されて伝送される。
【０２２１】
更に、第５列目には、第１乃至第４列目に含まれるデータの誤りを訂正するためのヘッダ誤り訂正コードＨＣＲＣ（３２ビット）が格納されて伝送される。
【０２２２】
また、第６列目には、伝送されるコマンドを複数含むコマンドセットを他のコマンドセットから識別するためのコマンドセット識別子ＣＩＤ（４ビット。第４実施形態の場合には、実際にはその値が「００００」とされている。）と、伝送されるコマンドの機能分類及び伝送後の当該コマンドの処理結果を示すコマンドコードＣＣ（４ビット）と、送信先の機器（第４実施形態ではアンプＡＰ）内の機能をその単位毎に特定するための機能アドレスデータＡＲ１（５ビット）と、他のデータパケットＤＰ間で機能アドレスデータＡＲ１が同一である場合にそれらを識別するための識別アドレスデータＡＲ２（３ビット）と、当該データパケットＤＰ内には合成係数テーブルＣＴが含まれていることを示すテーブルコマンドＯＣＤ（８ビット）と、後続する合成係数テーブルＣＴを示すＴＰデータＴＰＤ（８ビット。その値は「１」である。）と、が格納されて伝送される。
【０２２３】
そして、第７列目以降には、伝送すべき合成係数テーブル（２８８バイト）ＣＴ１乃至ＣＴ１６自体が、予め設定された所定の間隔で予備データＲＤを含みながら格納されて伝送される。
【０２２４】
最後に、データパケットＤＰとしての最終行には、データパケットＤＰ全体の誤り訂正を行うための誤り訂正コードＣＲＣが格納されて伝送される。
【０２２５】
そして、アンプＡＰにおいて合成係数テーブルＣＴを含むデータパケットＤＰが全て受信されると、当該受信した旨の返答信号ＡＣＫがアンプＡＰからアクノリッジパケットＡＣＰを用いて送信され（ステップＳ７９）、これをＤＶＤプレーヤＤＶにおいて受信し（ステップＳ７４）、当該合成係数テーブルＣＴの伝送完了をＤＶＤプレーヤＤＶにおいて確認する。
【０２２６】
当該返答信号により合成係数テーブルＣＴの伝送完了が確認されると、次に、ダウンミックス処理すべきオーディオデータＳad自体及び当該オーディオデータＳadを示すＴＰデータＴＰＡを含むデータブロックＤＢを形成してアイソクロナスパケットＩＰによりアンプＡＰに送信し（ステップＳ７５）、これをアンプＡＰにおいて受信する（ステップＳ８０）。
【０２２７】
ここで、当該伝送されるオーディオデータＳad及びＴＰデータＴＰＡ（その値は「１」である。）を含むデータブロックＤＢの具体的構成は図１１（ｃ）に示す場合を全く同様である。
【０２２８】
そして、これ以後は、上述した第１乃至第３実施形態と同様の処理が、ＤＶＤプレーヤＤＶ（ステップＳ１１乃至Ｓ１２）及び他のアンプＡＰ（ステップＳ２３乃至Ｓ２６）において実行されて再生処理が終了する。
【０２２９】
以上説明したように、第４実施形態におけるオーディオデータＳad等の伝送処理によれば、合成係数テーブルＣＴ及びＴＰデータＴＰＤを含んでデータパケットＤＰを形成してシリアルバスＢ上に出力すると共に、オーディオデータＳad及びＴＰデータＴＰＡを含んでデータブロックＤＢを形成してシリアルバスＢ上に出力するので、当該オーディオデータＳad等をアンプＡＰが受け取った場合に、ＴＰデータＴＰＤ又はＴＰＡを用いて合成係数テーブルＣＴとオーディオデータＳadとを対応づけることにより当該オーディオデータＳadのダウンミックス処理が可能となり、一のアイソクロナスパケットＩＣの中に含ませることができない情報量（２８８バイト）を有する合成係数テーブルＣＴであっても正確にこれを活用してオーディオデータＳadのダウンミックス処理を行うことができる。
【０２３０】
また、合成係数テーブルＣＴがアシンクロナス伝送領域ＡＣＴにおいてデータパケットＤＰ内に格納されて当該シリアルバスＢ上に出力されているので、必要なときに逐次合成係数テーブルＣＴを伝送することができる。
【０２３１】
更に、シリアルバス規格の下で接続されているＤＶＤプレーヤＤＶとアンプＡＰ間で合成係数テーブルＣＴを確実に伝送することができる。
【０２３２】
（VI）第５実施形態
次に、本発明に係る他の実施形態である第５実施形態について、図１６及び図１７を用いて説明する。
【０２３３】
なお、図１７は第５実施形態に係るオーディオデータＳadの伝送処理を示すフローチャートである。
【０２３４】
上述した第４実施形態では、データパケットＤＰを用いて合成係数テーブルＣＴを伝送する場合であってＤＶＤプレーヤＤＶ及びアンプＡＰの双方について電源が断とされていた状態からオーディオデータＳadの伝送を開始する場合について説明したが、第５実施形態においては、第２実施形態の場合と同様に、一のＡＴＳ２０３内に含まれているオーディオデータＳadのダウンミックス処理を伴う再生が終了し、次のＡＴＳ２０３内のオーディオデータＳadの再生に移行する際の合成係数テーブルＣＴの更新処理を伴うオーディオデータＳadの再生処理を行う。
【０２３５】
なお、第５実施形態におけるＤＶＤプレーヤＤＶ及びアンプＡＰの構成は、共に第１乃至第４実施形態の場合と全く同様であるので、細部の説明は省略する。また、図１７に示す伝送処理において、上述した第２実施形態及び第４実施形態における伝送処理と同様の処理については、同様のステップ番号を付して細部の説明は省略する。
【０２３６】
図１７に示すように、第５実施形態のオーディオデータＳadの伝送処理においては、ＤＶＤプレーヤＤＶ及びアンプＡＰの夫々において、第２実施形態の場合と同様のオーディオデータＳad再生処理（ステップＳ３０、Ｓ４０及びＳ４１）及び新たなＡＴＳ２０３の検索処理が実行される（ステップＳ３１及びＳ３２）。
【０２３７】
そして、当該再生すべきＡＴＳ２０３が検索できたら、次に、ＤＶＤプレーヤＤＶから、アンプＡＰ内に現在設定されているＴＰデータＴＰＡ（第４実施形態からの継続として第５実施形態を見た場合には、当該ＴＰデータＴＰＡは「１」となっている。）を反転すべく、新たなＴＰデータＴＰＤをデータ「０」としてデータブロックＤＢに格納してアンプＡＰに送信し（ステップＳ３３）、アンプＡＰにおいてこれを受信すると共にそれまでに設定・記憶されているＴＰデータＴＰＤの値（「１」）を「０」に更新する（ステップＳ４２）。
【０２３８】
ここで、当該伝送されるＴＰデータＴＰＤを含むデータブロックＤＢ０の具体的構成については図１１（ａ）に示す場合と全く同様となる。
【０２３９】
新たなＴＰデータＴＰＤの送受信が完了すると、第１実施形態の場合と同様のデータパケットＤＰを用いた再生準備完了コマンドＳＣの授受（ステップＳ１７及びＳ３）及びウエイトコマンドＷＣの授受を行った（ステップＳ４及びＳ１８）後、アンプＡＰにおいて上記合成係数テーブルＣＴを受信するまで待機する。
【０２４０】
次に、ＤＶＤプレーヤＤＶにおいて上記合成係数テーブルＣＴをＤＶＤオーディオディスク２００から読み込む（ステップＳ７）。そして、読み込んだ合成係数テーブルＣＴを示すＴＰデータＴＰＤ（その値は「０」である。）を図１１（ａ）に示す態様で再度伝送してアンプＡＰに一時的に格納した後、当該合成係数テーブルＣＴをデータパケットＤＰ内に格納してアンプＡＰに送信し（ステップＳ７３）、これをアンプＡＰにおいて受信する（ステップＳ７８）。
【０２４１】
このとき、当該合成係数テーブルＣＴを含むデータパケットＤＰの具体的構成としては、図１６に示す場合と全く同様となる。
【０２４２】
そして、アンプＡＰにおいて合成係数テーブルＣＴが全て受信されると、当該受信した旨の返答信号ＡＣＫがアンプＡＰからアクノリッジパケットＡＣＰを用いて送信され（ステップＳ７９）、これをＤＶＤプレーヤＤＶにおいて受信し（ステップＳ７４）、当該合成係数テーブルＣＴの伝送完了をＤＶＤプレーヤＤＶにおいて確認する。
【０２４３】
当該返答信号により合成係数テーブルＣＴの伝送完了が確認されると、次に、ダウンミックス処理すべきオーディオデータＳadを含むデータブロックＤＢを形成して対応するＴＰデータＴＰＡ（その値は「０」である。）と共にアンプＡＰに送信し（ステップＳ３７）、これをアンプＡＰにおいて受信する（ステップＳ４５）。
【０２４４】
ここで、当該伝送されるオーディオデータＳad及びＴＰデータＴＰＡを含むデータブロックＤＢ２の具体的構成としては、図１１（ｃ）に示す場合と全く同様となる。
【０２４５】
そして、これ以後は、上述した第４実施形態と同様の処理が、ＤＶＤプレーヤＤＶ（ステップＳ１１乃至Ｓ１２）及びアンプＡＰ（ステップＳ２３乃至Ｓ２６）が実行されて処理が終了する。
【０２４６】
ここで、第５実施形態中のステップＳ３３において伝送されるＴＰデータＴＰＤの値については、それまでにアンプＡＰ内に設定・記憶されているＴＰデータＴＰＤの値が「０」であるときはこれを反転させるべく値「１」を有するＴＰデータＴＰＤがステップＳ３３において伝送され、一方、それまでにアンプＡＰ内に設定・記憶されているＴＰデータＴＰＤの値が「１」であるときはこれを反転させるべく値「０」を有するＴＰデータＴＰＤがステップＳ３３において伝送される。そして、以後のステップＳ７３において伝送されるＴＰデータＴＰＤ及びステップＳ３７において伝送されるＴＰデータＴＰＡの値は、このステップＳ３３において伝送されたＴＰデータＴＰＤの値と同じものとされる。
【０２４７】
以上説明した第５実施形態の伝送処理によれば、ＡＴＳ２０３が切り換る度にＴＰデータＴＰＤ及びＴＰＡの値を「０」又は「１」の間で相互に反転させつつ合成係数テーブルＣＴ及びオーディオデータＳadに付加して伝送するので、ＡＴＳ２０３が切り換った場合にダウンミックス処理を伴う再生を継続する場合にも、上述した第４実施形態の伝送処理と同様の効果を奏することができる。
【０２４８】
（VII）第６実施形態
次に、本発明に係る他の実施形態である第６実施形態について、図１４、図１６及び図１８を用いて説明する。
【０２４９】
なお、図１８は第６実施形態に係るオーディオデータＳadの伝送処理を示すフローチャートである。
【０２５０】
上述した第４及び第５実施形態では、ＤＶＤプレーヤＤＶ及びアンプＡＰの双方について電源が断とされていた状態からオーディオデータＳadの伝送を開始する場合及びＤＶＤプレーヤＤＶにおけるオーディオデータＳadの再生においてＡＴＳ２０３が切り換った直後におけるダウンミックス処理を伴う再生について説明したが、第６実施形態においては、第３実施形態の場合と同様に、既にＤＶＤプレーヤＤＶからアンプＡＰへの合成係数テーブルＣＴの伝送が開始されている場合において、シリアルバスＢに接続されている他のアンプＡＰにおける入力選択がＤＶＤプレーヤＤＶに切り換えられたとき、又はシリアルバスＢに新たに他のアンプＡＰが接続されたとき等に、当該他のアンプＡＰにおいてダウンミックス処理を伴うオーディオデータＳadの再生処理を開始する。
【０２５１】
なお、第６実施形態におけるＤＶＤプレーヤＤＶ及びアンプＡＰの構成は、共に第１乃至第５実施形態の場合と全く同様であるので、細部の説明は省略する。また、図１８に示す伝送処理において、上述した第３及び第４実施形態における伝送処理と同様の処理については、同様のステップ番号を付して細部の説明は省略する。
【０２５２】
図１８に示すように、第６実施形態のオーディオデータＳadの伝送処理においては、先ず、ＤＶＤプレーヤＤＶ及びアンプＡＰにおいて、第３実施形態の場合と同様の再生処理（ステップＳ５０）、入力切り換え・相互認識処理（ステップＳ６０、Ｓ６１及びＳ５１）、再生準備完了コマンドＳＣの授受（ステップＳ６２及びＳ５２）及びＴＰデータＴＰＤの授受（ステップＳ５３及びＳ６３）が実行される。
【０２５３】
ここで、当該伝送されるＴＰデータＴＰＤを含むデータブロックＤＢ０の具体的構成について図１４（ａ）に示す場合と全く同様である。
【０２５４】
そして、ＴＰデータＴＰＤの送受信が完了すると、次に、ＤＶＤプレーヤＤＶから、現在使用されている合成係数テーブルＣＴ（ステップＳ５０における再生処理において既にＤＶＤオーディオディスク２００から読み込まれており、ＤＶＤプレーヤＤＶ内のＲＡＭ１１に記憶されているものである。）を示すＴＰデータＴＰＤ（その値はステップＳ５３において伝送したものの値と同一である。）を図１４（ａ）に示す態様で格納して再度伝送して他のアンプＡＰに一時的に格納した後、現在再生しているオーディオデータＳadが含まれているアイソクロナスサイクルＩＣ内のデータパケットＤＰに当該使用されている合成係数テーブルＣＴを格納してアンプＡＰに送信し（ステップＳ８０）、これを他のアンプＡＰにおいて受信する（ステップＳ８１）。
【０２５５】
このとき、当該合成係数テーブルＣＴを含むデータパケットＤＰの具体的構成としては、図１６に示すものと全く同様である。
【０２５６】
そして、他のアンプＡＰにおいて合成係数テーブルＣＴが全て受信されると、当該受信した旨の返答信号ＡＣＫがアンプＡＰからアクノリッジパケットＡＣＰを用いて送信され（ステップＳ７９）、これをＤＶＤプレーヤＤＶにおいて受信し（ステップＳ７４）、当該合成係数テーブルＣＴの伝送完了をＤＶＤプレーヤＤＶにおいて確認する。
【０２５７】
当該返答信号により合成係数テーブルＣＴの伝送完了が確認されると、ダウンミックス処理すべきオーディオデータＳad自体（現在再生が継続されているもの）及び当該オーディオデータＳadを示すＴＰデータＴＰＡ（その値はステップＳ５３及びＳ８０において伝送したものの値と同一である。）を含むデータブロックＤＢを形成して他のアンプＡＰに送信し（ステップＳ５６）、これを他のアンプＡＰにおいて受信する（ステップＳ６６）。
【０２５８】
ここで、当該伝送されるオーディオデータＳad及びＴＰデータＴＰＡを含むデータブロックＤＢ２の具体的構成としては、図１４（ｃ）に示すように図１１（ｃ）に示す場合と全く同様となる。
【０２５９】
そして、これ以後は、上述した第４実施形態と同様の処理が、ＤＶＤプレーヤＤＶ（ステップＳ１１乃至Ｓ１２）及び他のアンプＡＰ（ステップＳ２３乃至Ｓ２６）において実行されて再生処理が終了する。
【０２６０】
以上説明した第６実施形態の伝送処理によれば、既にＤＶＤプレーヤＤＶからアンプＡＰへの合成係数テーブルＣＴの伝送が開始されている場合において、他のアンプＡＰにおける入力選択切り換え又は新たな他のアンプＡＰの接続が為された場合でも、上述した第４又は第５実施形態の伝送処理と同様の効果を奏することができる。
【０２６１】
（VIII）第７実施形態
次に、本発明に係る他の実施形態である第７実施形態について図１４を用いて説明する。
【０２６２】
上述した第１乃至第６実施形態では、電源投入時（第１及び第４実施形態）、合成係数テーブルＣＴ更新時（第２及び第５実施形態）並びに新たなアンプＡＰの接続時（第３及び第６実施形態）において、各種のコマンドの授受を伴って合成係数テーブルＣＴ及びオーディオデータＳadを伝送する場合について説明したが、第７実施形態においては、ＤＶＤプレーヤＤＶ又はアンプＡＰの動作状態又は接続状態に拘わらず、予め設定された間隔で最新の合成係数テーブルＣＴを繰り返し伝送する。
【０２６３】
なお、第７実施形態におけるＤＶＤプレーヤＤＶ及びアンプＡＰの構成は、共に第１乃至第６実施形態の場合と全く同様であるので、細部の説明は省略する。
【０２６４】
第７実施形態においては、ＤＶＤプレーヤＤＶから再生されるオーディオデータＳadについて合成係数テーブルＣＴが更新される（すなわち、新たなＡＴＳ２０３に移行する）度に、その後予め設定された時間間隔（例えば、３０ミリ秒）でその更新された合成係数テーブルＣＴを伝送し続ける。そして、このときのデータブロックＤＢの具体的構成は、図１４（ｂ）に示すものと全く同様となる。
【０２６５】
また、ＴＰデータＴＰＤについては、当該合成係数データＣＴが更新されたときには、上述した処理（例えば、第１実施形態におけるステップＳ６及びＳ１９）と同様の処理を行って新たなＴＰデータＴＰＤを伝送することにより、それまでＤＶＤプレーヤＤＶ及びアンプＡＰにおいて設定されていた当該ＴＰデータＴＰＤを他の値に反転させ（すなわち、「０」が設定されていればこれを「１」に反転させ、一方「１」が設定されていれば「０」に反転させる。）、その後、反転後と同じ値のＴＰデータＴＰＤ（当該ＴＰデータＴＰＤは図１４（ａ）に示すデータブロックＤＢ０’に含まれて伝送される。）と共に更新された合成係数テーブルＣＴを図１４（ｂ）に示すデータブロックＤＢの態様で伝送することとなる。
【０２６６】
そして、実際のダウンミックス処理を伴う再生処理を開始するときは、その時に設定されているＴＰデータＴＰＤと同じＴＰデータＴＰＡと共に再生すべきオーディオデータＳadを図１４（ｃ）に示すデータブロックＤＢの態様で伝送して再生処理を開始する。
【０２６７】
なお、ＴＰデータＴＰＤ又は合成係数テーブルＣＴの伝送時において、対応するデータブロックＤＢ内における当該ＴＰデータＴＰＤ又は合成係数テーブルＣＴが含まれていることのアンプＡＰにおける識別は、当該データブロックＤＢにおける第８列目のアドレスデータＡＲの値をＴＰデータＴＰＤ又は合成係数テーブルＣＴで異なる値とする（より具体的には、当該第８列目にＴＰデータＴＰＤを含ませるときは「０３ｈ」とし、当該第８列目に合成係数テーブルＣＴを含ませるときは「０４ｈ」とする。）ことにより行う。
【０２６８】
上述した第７実施形態の伝送方法によれば、電源投入時、合成係数テーブルＣＴ更新時並びに新たなアンプＡＰの接続時の区別なく同様の第７実施形態の態様で合成係数テーブルＣＴ並びにＴＰデータＴＰＤ及びＴＰＡを伝送し、上記した第１乃至第３実施形態と同様の効果を奏することができる。
【０２６９】
なお、例えば３０ミリ秒間隔で合成係数テーブルＣＴをシリアルバス規格の下で伝送する場合には、当該合成係数テーブルＣＴによるデータの占有率は約１１％となるが、この占有率であれば他のデータの伝送に影響を与えることはない。また、新たな合成係数テーブルＣＴは３０ミリ秒後でないと伝送されてこないこととなるが、この点も、再生処理上問題とはならないことが確認されている。
【０２７０】
【発明の効果】
以上説明したように、請求項１に記載の発明によれば、オーディオ情報、再生制御情報又は対応情報のうち少なくともいずれか一つを含んで情報単位を形成しバス上に出力するので、当該各情報を受け取った場合に、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【０２７１】
従って、一の情報単位に格納して一度に伝送できない情報量を有する再生制御情報であってもこれを伝送し、正確な対応関係に基づいてオーディオ情報の再生制御を行うことができる。
【０２７２】
請求項２に記載の発明によれば、オーディオ情報、再生制御情報又は対応情報のうち少なくともいずれか一つを含んだ情報単位が伝送されて来るので、当該情報単位を取得することにより得られた対応情報を用いて再生制御情報とオーディオ情報とを対応づけることにより当該オーディオ情報の再生制御が可能となり、一の情報単位の中に含ませることができない情報量を有する再生制御情報を用いる場合であっても正確にこれを活用してオーディオ情報の再生制御を行うことができる。
【０２７３】
従って、一の情報単位に格納して一度に伝送できない情報量を有する再生制御情報であってもこれを伝送し、正確な対応関係に基づいてオーディオ情報の再生制御を行うことができる。
【０２７４】
請求項３に記載の発明によれば、請求項１又は２に記載の発明の効果に加えて、予め設定された時間間隔毎に再生制御情報を含む情報単位が出力されるので、確実に当該再生制御情報を伝送することができる。
【０２７５】
請求項４に記載の発明によれば、請求項１又は２に記載の発明の効果に加えて、再生制御情報が同期情報単位内に格納されて当該バス上に出力されているので、簡易な処理で再生制御情報を伝送することができる。
【０２７６】
請求項５に記載の発明によれば、請求項１又は２に記載の発明の効果に加えて、再生制御情報が非同期情報単位内に格納されて当該バス上に出力されているので、必要なときに逐次再生制御情報を伝送することができる。
【０２７７】
請求項６に記載の発明によれば、請求項１から５のいずれか一項に記載の発明の効果に加えて、再生制御情報がチャンネル数低減制御情報であるので、チャンネル数低減のための再生制御情報を確実に伝送して低減されたチャンネル数によるオーディオ情報の再生を行うことができる。
【０２７８】
請求項７に記載の発明によれば、請求項１から６のいずれか一項に記載の発明の効果に加えて、バスがＩＥＥＥ１３９４規格に基づいて伝送情報が伝送されるシリアルバスであると共に、情報単位がＩＥＥＥ１３９４規格におけるアイソクロナスサイクルの一部を構成するものであるので、ＩＥＥＥ１３９４規格の下で再生制御情報を確実に伝送することができる。
【０２７９】
請求項８に記載の発明によれば、オーディオ情報、再生制御情報又は対応情報のうち少なくともいずれか一つを含んで情報単位を形成しバス上に出力すると共に当該情報単位を取得して再生制御を行うので、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【０２８０】
従って、一の情報単位に格納して一度に伝送できない情報量を有する再生制御情報であってもこれを伝送し、正確な対応関係に基づいてオーディオ情報の再生制御を行うことができる。
【０２８１】
請求項９に記載の発明によれば、オーディオ情報、再生制御情報又は対応情報のうち少なくともいずれか一つを含んで情報単位を形成しバス上に出力するので、当該各情報を受け取った場合に、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【０２８２】
従って、一の情報単位に格納して一度に伝送できない情報量を有する再生制御情報であっても、これを伝送してオーディオ情報の再生制御を行うことができる。
【０２８３】
請求項１０に記載の発明によれば、オーディオ情報、再生制御情報又は対応情報のうち少なくともいずれか一つを含んだ情報単位が伝送されて来るので、当該情報単位を取得することにより得られた対応情報を用いて再生制御情報とオーディオ情報とを対応づけることにより当該オーディオ情報の再生制御が可能となり、一の情報単位の中に含ませることができない情報量を有する再生制御情報を用いる場合であっても正確にこれを活用してオーディオ情報の再生制御を行うことができる。
【０２８４】
従って、一の情報単位に格納して一度に伝送できない情報量を有する再生制御情報であってもこれを伝送し、正確な対応関係に基づいてオーディオ情報の再生制御を行うことができる。
【０２８５】
請求項１１に記載の発明によれば、オーディオ情報、再生制御情報又は対応情報のうち少なくともいずれか一つを含んで情報単位を形成しバス上に出力すると共に当該情報単位を取得して再生制御を行うので、対応情報を用いて再生制御情報とオーディオ情報とを対応づけることにより当該オーディオ情報の再生制御が可能となり、一の情報単位の中に含ませることができない情報量を有する再生制御情報であっても正確にこれを活用してオーディオ情報の再生制御を行うことができる。
【０２８６】
従って、一の情報単位に格納して一度に伝送できない情報量を有する再生制御情報であってもこれを伝送し、正確な対応関係に基づいてオーディオ情報の再生制御を行うことができる。
【図面の簡単な説明】
【図１】ＤＶＤオーディオディスクの記録フォーマットを示す図である。
【図２】ＩＥＥＥ１３９４規格により接続された電気製品（ノード）の例を示す図であり、（ａ）はシリアル接続された電気機器の例を示す図であり、（ｂ）はループ接続を示す図である。
【図３】シリアルバス上の伝送形態を例示する図である。
【図４】アイソクロナスサイクルの構成を示す図である。
【図５】第１実施形態のＤＶＤプレーヤの概要構成を示すブロック図である。
【図６】第１実施形態のパケット化部の概要構成を示すブロック図である。
【図７】第１実施形態に係るアイソクロナスパケットの構成を例示する図である。
【図８】実施形態に係るＣＩＰヘッダの構成を例示する図である。
【図９】第１実施形態のアンプの概要構成を示すブロック図である。
【図１０】第１実施形態の合成係数テーブル等の伝送処理を示すフローチャートである。
【図１１】第１実施形態に係るデータブロックの構成を例示する図であり、（ａ）は例示する図（Ｉ）であり、（ｂ）は例示する図（II）であり、（ｃ）は例示する図（III）である。
【図１２】第２実施形態の合成係数テーブル等の伝送処理を示すフローチャートである。
【図１３】第３実施形態の合成係数テーブル等の伝送処理を示すフローチャートである。
【図１４】第３実施形態に係るデータブロックの構成を例示する図であり、（ａ）は例示する図（Ｉ）であり、（ｂ）は例示する図（II）であり、（ｃ）は例示する図（III）である。
【図１５】第４実施形態の合成係数テーブル等の伝送処理を示すフローチャートである。
【図１６】第４実施形態に係るデータパケットの構成を例示する図である。
【図１７】第５実施形態の合成係数テーブル等の伝送処理を示すフローチャートである。
【図１８】第６実施形態の合成係数テーブル等の伝送処理を示すフローチャートである。
【符号の説明】
２…スピンドルモータ
３…ピックアップ
４…ヘッドアンプ
５…サーボコントローラ
６…Ａ／Ｄコンバータ
７…ＲＦ増幅器
８…データ復号器
９、１１、２１…ＲＡＭ
１０、２５…ＣＰＵ
１２…入力部
１３…パケット化部
２０…ラベル付加部
２２…パラレル／シリアル変換部
２３…リンク層形成部
２４…物理層形成部
２６…メモリ
２７…物理層解読部
２８…リンク層解読部
２９…パケット判読部
３０…ダウンミックス演算部
３１、８６、８８…Ｄ／Ａコンバータ
３２…出力アンプ
８０…データバス
８１…デマルチプレクサ
８２…ビデオデコーダ
８３…サブピクチャデコーダ
８４…混合器
８５…エンコーダ
８７…オーディオデコーダ
８９…メモリコントローラ
２００…ＤＶＤオーディオディスク
２００’…オーディオゾーン
２００”…ビデオゾーン
２００"'…アザーゾーン
２０１…ＵＤＦ
２０２…ＡＭＧ
２０３…ＡＴＳ
２０４…ＳＡＰＰＴ
２０５…静止画データ
２１０…ＡＯＢ
２１１…ＡＴＳＩ
２２０…セル
２３０…オーディオパック
２４０…パックヘッダ
２４１…パケットヘッダ
２４２…プライベートヘッダ
２４３…オーディオデータ
Ｓ…情報伝送システム
Ｂ…シリアルバス
ＮＤ…ノード
ＰＣ…パーソナルコンピュータ
ＣＰ…ＣＤプレーヤ
ＭＰ…ＭＤプレーヤ
ＤＶＣ…デジタルビデオカメラ
ＰＲ…プリンタ
ＬＰ…ＬＤプレーヤ
ＳＢ…セットトップボックス
Ｔ…チューナ
ＳＰ…スピーカ
ＡＰ…アンプ
ＴＶ…テレビジョン装置
ＶＴ…ディジタルビデオテープレコーダ
ＶＳ…ボリュームスペース
ＤＶ…ＤＶＤプレーヤ
ＩＣ…アイソクロナスサイクル
ＣＳＰ…サイクルスタートパケット
ＩＣＴ…アイソクロナス伝送領域
ＡＣＴ…アシンクロナス伝送領域
ＡＰＧ…アービトレーションリセットギャップ
ＤＰ…データパケット
ＤＢ、ＤＢ０、ＤＢ０’、ＤＢ１、ＤＢ１’、ＤＢ２、ＤＢ２’…データブロック
ＡＣＰ…アクノリッジパケット
ＡＰＨ…ＡＰヘッダ
ＳＧ…サブアクションギャップ
ＩＧ…アイソクロナスギャップ
ＡＧ…アシンクロナスギャップ
ＩＰＨ…ＩＰヘッダ
ＩＰ…アイソクロナスパケット
ＣＩＰＨ…ＣＩＰヘッダ
ＬＯ…リードアウトエリア
ＬＩ…リードインエリア
ＬＢ１、ＬＢ２、ＬＢ３、ＬＢ４、ＬＢ５、ＬＢ６、ＬＢ７、ＬＢ８…ラベル
ＡＤ１、ＡＤ２、ＡＤ３、ＡＤ４、ＡＤ５、ＡＤ６、Ｓad…オーディオデータ
ＤＲＣ…ダイナミックレンジ制御データ
ＥＦ…エンファシスフラグ
ＲＤ…予備データ
ＤＭＭ…ダウンミックスモードデータ
ＤＭＣＶ…ダウンミックスコード識別データ
ＤＭＣ…ダウンミックスコードデータ
ＡＲ…アドレスデータ
ＦＳ２…サンプリング周波数データ
ＭＣＴ…チャンネル形式データ
ＣＡ…チャンネル配分データ
ＴＰ…テーブルパリティデータ
ＯＤ…任意データ
ＣＲＣ…エラー訂正データ
ＳＩＤ…ノード識別子
ＤＢＳ…データブロック数
ＤＢＣ…順番情報
ＦＭＴ…データ識別子
ＦＤＦ…関連情報
ＳＹＴ…処理時間情報
ＤＩ…送信先ノード識別子
ＴＬ…トランザクションラベル
ＲＴ…リトライコード
ＴＤ…トランザクションコード
ＰＲ…プライオリティコード
ＳＩ…送信元ノード識別子
ＦＣＰ…コマンド領域
ＤＬ…データ長情報
ＥＴＤ…拡張トランザクションコード
ＨＣＲＣ…ヘッダ誤り訂正コード
ＣＩＤ…コマンドセット識別子
ＣＣ…コマンドコード
ＡＲ１…機能アドレスデータ
ＡＲ２…識別アドレスデータ
ＯＣＤ…テーブルコマンド
ＴＰＤ、ＴＰＡ…ＴＰデータ
ＣＴ、ＣＴ１、ＣＴ２、ＣＴ３、ＣＴ４、ＣＴ５、ＣＴ６、ＣＴ７、ＣＴ８、ＣＴ９、ＣＴ１０、ＣＴ１１、ＣＴ１２、ＣＴ１３、ＣＴ１４、ＣＴ１５、ＣＴ１６…合成係数テーブル
ＲＤ…予備データ
ＣＲＣ…誤り訂正コード
ＷＣ…ウエイトコマンド
ＳＣ…再生準備完了コマンド
ＰＯ…再生ＯＫコマンド
ＡＣＫ…返答信号
ＴＡ…伝送要求コマンド
ＺＲ…ゼロデータ
Ｓspd…スピンドル制御信号
Ｓtd…トラッキングアクチュエータ駆動信号
Ｓfd…フォーカスアクチュエータ駆動信号
Ｓsync…同期信号
Ｓfe…フォーカスエラー信号
Ｓte…トラッキングエラー信号
Ｓsyc…サーボ制御信号
Ｓrf…ＲＦ信号
Ｓrfd…ディジタルＲＦ信号
Ｓfk…出力制御信号
Ｓdst…記録情報データストリーム
Ｓdvs、Ｓdss、Ｓdas…デコード制御信号
Ｓc、Ｓdm…制御信号
Ｓap…付加データ
Ｓvst…ビデオストリーム
Ｓsst…サブピクチャストリーム
Ｓsc…クロック信号
Ｓvd…ビデオデータ
Ｓsd…サブピクチャデータ
Ｓmxv…重畳ビデオデータ
Ｓast…オーディオストリーム
Ｓie…伝送信号
Ｓmxc…重畳制御信号
Ｓbl…ラベル付加データ
Ｓmr…メモリ信号
Ｓsr…シリアルメモリ信号
Ｓlk…リンク信号
Ｓpu…リンク解読信号
Ｓetc…ダウンミックス情報信号
Ｓiso、Ｓfcp、Ｓctg…テーブル信号
Ｓur…指示信号
Ｓno…テーブル番号情報
Ｓct…合成係数信号
Ｓout…出力信号
Ｓao…アナログ出力信号
【図１】
0003957251.tif 000002
【図２】
0003957251.tif 000003
【図３】
0003957251.tif 000004
【図４】
0003957251.tif 000005
【図５】
0003957251.tif 000006
【図６】
0003957251.tif 000007
【図７】
0003957251.tif 000008
【図８】
0003957251.tif 000009
【図９】
0003957251.tif 000010
【図１０】
0003957251.tif 000011
【図１１】
0003957251.tif 000012
【図１２】
0003957251.tif 000013
【図１３】
0003957251.tif 000014
【図１４】
0003957251.tif 000015
【図１５】
0003957251.tif 000016
【図１６】
0003957251.tif 000017
【図１７】
0003957251.tif 000018
【図１８】
0003957251.tif 000019